【事件の表示】
　特願２０１４−　　７６２７「遊技機」拒絶査定不服審判事件〔平成２７年　７月３０日出願公開、特開２０１５−１３６３６９〕について、次のとおり審決する。
【結　論】
　本件審判の請求は、成り立たない。
【理　由】
第１　手続の経緯 
　本願は，平成２６年１月２０日に特許出願されたものであって，平成２８年１月５日付けで拒絶理由が通知され，同年３月９日に意見書及び手続補正書が提出されたが，同年８月９日付けで拒絶査定がなされ，これに対して，同年１１月１０日に拒絶査定不服審判の請求がなされるとともに手続補正がなされたものである。
第２　平成２８年１１月１０日付けの手続補正についての補正却下の決定
［補正却下の決定の結論］
　平成２８年１１月１０日付けの手続補正（以下「本件補正」という。）を却下する。
［理由］
１　本件補正の概要
　本件補正は特許請求の範囲の請求項３の記載を含む補正であり，平成２８年３月９日付けの手続補正と本件補正の特許請求の範囲の請求項３の記載はそれぞれ，以下のとおりである（下線部は補正を示す。）。
（補正前：平成２８年３月９日付けの手続補正）
「【請求項３】
　遊技球が転動する遊技領域及び前記遊技領域に形成され前記遊技球の通過を検出するための検出領域を備えた遊技盤と，
　前記検出領域を前記遊技球が通過したことを契機にして，遊技者にとって有利な遊技状態へ移行させるか否かの抽籤処理を実行する抽籤手段と，
　前記抽籤手段による前記抽籤処理の結果に基づいた遊技の進行に関する情報を出力する情報出力手段と，
　複数の周辺機器に接続されるとともに，
　複数の演出情報が記憶されている演出情報記憶手段と，
　前記情報出力手段により出力された情報に基づいて，前記複数の演出情報から演出情報を決定する演出情報決定手段と，
　前記演出情報決定手段により決定された前記演出情報を実行する演出情報実行手段と，
　前記演出情報実行手段に報知させる前記演出情報を転送する演出情報転送手段と，を有し，
　前記演出情報は，それぞれ複数の前記演出情報から構成されている第１の演出情報と，第２の演出情報とを含み，
　前記第２の演出情報は，少なくとも前記演出情報の一部が，前記第１の演出情報に関連付けられており，
　前記演出情報実行手段は，前記第１の演出情報に応じて演出を実行する第１の演出情報実行手段及び前記第２の演出情報に応じて演出を実行する第２の演出情報実行手段と，を備え，
　前記第１の演出情報実行手段及び前記第２の演出情報実行手段は，前記複数の周辺機器のいずれかにより前記第１の演出情報及び前記第２の演出情報を実行可能な構成を有し，
　前記演出情報実行手段が前記第１の演出情報を実行している場合に，前記第１の演出情報実行手段により実行されている前記第１の演出情報に関連付けられた前記第２の演出情報を，前記第２の演出情報実行手段が実行しているか否かを判断する演出情報判断手段をさらに有し，
　前記演出情報転送手段は，前記演出情報判断手段によって，前記第１の演出情報実行手段により実行されている前記第１の演出情報に関連付けられた前記第２の演出情報が実行されていないと判断された場合に，前記第２の演出情報実行手段に前記第１の演出情報に関連付けられた前記第２の演出情報を転送することを特徴とする遊技機。」
（補正後：本件補正：平成２８年１１月１０日付け手続補正）
「【請求項３】
　遊技球が転動する遊技領域及び前記遊技領域に形成され前記遊技球の通過を検出するための検出領域を備えた遊技盤と，
　前記検出領域を前記遊技球が通過したことを契機にして，遊技者にとって有利な遊技状態へ移行させるか否かの抽籤処理を実行する抽籤手段と，
　前記抽籤手段による前記抽籤処理の結果に基づいた遊技の進行に関する情報を出力する情報出力手段と，
　複数の周辺機器に接続されるとともに，
　複数の演出情報が記憶されている演出情報記憶手段と，
　前記情報出力手段により出力された情報に基づいて，前記複数の演出情報から演出情報を決定する演出情報決定手段と，
　前記演出情報決定手段により決定された前記演出情報を実行する演出情報実行手段と，
　前記演出情報実行手段に報知させる前記演出情報を転送する演出情報転送手段と，を有し，
　前記演出情報は，それぞれ複数の前記演出情報から構成されている第１の演出情報と，第２の演出情報とを含み，
　前記第２の演出情報は，少なくとも前記演出情報の一部が，前記第１の演出情報に関連付けられており，
　前記演出情報実行手段は，前記第１の演出情報に応じて演出を実行する第１の演出情報実行手段及び前記第２の演出情報に応じて演出を実行する第２の演出情報実行手段と，を備え，
　前記第１の演出情報実行手段及び前記第２の演出情報実行手段は，前記複数の周辺機器のいずれかにより前記第１の演出情報及び前記第２の演出情報を実行可能な構成
及び，前記第１の演出情報の実行状態及び前記第２の演出情報の実行状態を更新する構成
　
前記第１の演出情報の実行状態により
第１の
前記第２の演出情報の実行状態によって
　前記演出情報転送手段は，前記演出情報判断手段によって，前記第１の演出情報実行手段
が
を実行している場合に，
を前記第２の演出情報実行手段が
し
２　補正の適否
（１）補正事項
　本件補正は，補正前の請求項３について，以下に挙げる補正事項を含むものである。
ア　補正前の請求項３に記載された
「前記第１の演出情報実行手段及び前記第２の演出情報実行手段は，前記複数の周辺機器のいずれかにより前記第１の演出情報及び前記第２の演出情報を実行可能な構成を有し」という記載を，
「前記第１の演出情報実行手段及び前記第２の演出情報実行手段は，前記複数の周辺機器のいずれかにより前記第１の演出情報及び前記第２の演出情報を実行可能な構成
及び，前記第１の演出情報の実行状態及び前記第２の演出情報の実行状態を更新する構成
イ　補正前の請求項３に記載された
「前記演出情報実行手段が前記第１の演出情報を実行している場合に，前記第１の演出情報実行手段により実行されている前記第１の演出情報に関連付けられた前記第２の演出情報を，前記第２の演出情報実行手段が実行しているか否かを判断する演出情報判断手段をさらに有し，前記演出情報転送手段は，前記演出情報判断手段によって，前記第１の演出情報実行手段により実行されている前記第１の演出情報に関連付けられた前記第２の演出情報が実行されていないと判断された場合に，前記第２の演出情報実行手段に前記第１の演出情報に関連付けられた前記第２の演出情報を転送する」という記載を，
「
前記第１の演出情報の実行状態により
第１の
前記第２の演出情報の実行状態によって
が
を実行している場合に，
を前記第２の演出情報実行手段が
し
（２）補正の目的についての検討
ア　補正事項アは，「前記第１の演出情報実行手段及び前記第２の演出情報実行手段」が有する構成に関して，「
前記第１の演出情報の実行状態及び前記第２の演出情報の実行状態を更新する構成
イ　補正事項イは，「第１の演出情報」が「第１の演出情報実行手段により実行されている」こと，「前記第２の演出情報」が「前記第１の演出情報に関連付けられた」ことに関する重複する記載を削除すると共に，「第１の演出情報を実行している」「演出情報実行手段」が，「第１の演出情報実行手段」であること，「第１の演出情報を実行している場合」が，「前記第１の演出情報の実行状態により」分かること，「前記第２の演出情報を，前記第２の演出情報実行手段が実行しているか否かを判断する」のが，「前記第２の演出情報の実行状態によって」であることを限定する補正であり，また，補正後の請求項３に記載された発明は，補正前の請求項３に記載された発明と，産業上の利用分野及び解決しようとする課題が同一であるので，特許法第１７条の２第５項第２号に規定する特許請求の範囲の減縮を目的とするものに該当する。
（３）新規事項についての検討
ア　補正事項アについて検討する。
　本願の願書に最初に添付された特許請求の範囲，明細書及び図面（以下，「当初明細書等」という。）の【０７５９】には「［パチンコ遊技機の構成］本発明は，パチスロに限定されるものではなく，パチンコ遊技機にも適用することができる。以下，パチンコ遊技機について説明する。」と記載され，【０８１４】には「副制御回路１２００は，本実施の形態のパチスロ遊技機において説明した副制御回路７０（図１０参照）と同様に，サブＲＯＭ１２０２，サブＲＡＭ１２０３，ＤＳＰ１２０４，オーディオＲＡＭ１２０５及びデジタルアンプ１２０６を備えており，この副制御回路７０と同様な各種処理を実行することができるようになっている。」と記載され，【０１０２】には「
第１の演出情報としてのサウンドデータ
第２の演出情報としてのＬＥＤ演出データ
サウンドデータを実行するＤＳＰ８４は
第１の演出情報実行手段を構成
ＬＥＤ演出データに従って
点灯及び消灯の出力制御を実行するサブＣＰＵ８１は
第２の演出情報実行手段を構成
サブＣＰＵ８１は，サウンド再生情報を更新し
サブＣＰＵ８１は，ＬＥＤ制御状態情報を更新し
　これらの記載から，請求人が審判請求書において補正の根拠として示した当初明細書等の根拠箇所（【０６７１】，【０６７２】，【０６４９】，図９５ステップＳ５１２，図９１ステップＳ５４３）には，サブＣＰＵ８１（第２の演出情報実行手段）は，サウンドデータ（第１の演出情報）の実行状態（サウンド再生情報）及びＬＥＤ演出データ（第２の演出情報）の実行状態（ＬＥＤ制御状態情報）を更新する構成を有しているといえるが，ＤＳＰ８４（第１の演出情報実行手段）が，サウンドデータ（第１の演出情報）の実行状態，または，ＬＥＤ演出データ（第２の演出情報）の実行状態を更新する構成を有している点は記載されていない。
　また，当初明細書等の他の記載をみても，ＤＳＰ８４（第１の演出情報実行手段）が，サウンドデータ（第１の演出情報）の実行状態，または，ＬＥＤ演出データ（第２の演出情報）の実行状態を更新する構成は記載も示唆もされておらず，自明でもない。
　これらのことから，当初明細書等には，ＤＳＰ８４（第１の演出情報実行手段）及びサブＣＰＵ８１（第２の演出情報実行手段）は，サウンドデータ（第１の演出情報）の実行状態及びＬＥＤ演出データ（第２の演出情報）の実行状態を更新する構成を有する点は記載されているとはいえない。
　したがって，補正事項アは，「前記第１の演出情報実行手段及び前記第２の演出情報実行手段は，」「前記第１の演出情報の実行状態及び前記第２の演出情報の実行状態を更新する構成を有」するものを含むから，当初明細書等のすべての記載を総合することにより導かれる技術的事項との関係において，新たな技術的事項を導入しないものであるとはいえない。
　よって，補正事項アは，特許法第１７条の２第３項の規定に違反するものである。
　しかしながら，補正事項アの「前記第１の演出情報実行手段及び前記第２の演出情報実行手段は，・・・前記第１の演出情報の実行状態及び前記第２の演出情報の実行状態を更新する構成を有し」という記載は，（ａ）ＤＳＰ８４（第１の演出情報実行手段）及びサブＣＰＵ８１（第２の演出情報実行手段）が，サウンドデータ（第１の演出情報）の実行状態及びＬＥＤ演出データ（第２の演出情報）の実行状態を更新する構成を有する，という解釈だけでなく，（ｂ）ＤＳＰ８４（第１の演出情報実行手段）あるいはサブＣＰＵ８１（第２の演出情報実行手段）のいずれかが，サウンドデータ（第１の演出情報）の実行状態及びＬＥＤ演出データ（第２の演出情報）の実行状態を更新する構成を有する，という解釈もできる。
　既に検討したように，当初明細書等には，上記（ａ）の解釈については記載されておらず，補正事項アが上記（ａ）の解釈であるとすると，補正事項アは新規事項を追加するものになるが，当初明細書等には上記（ｂ）の解釈について記載されており，補正事項アが上記（ｂ）の解釈であるとすると，補正事項アは新規事項を追加するものではないから，補正事項アが上記（ｂ）の解釈であるとして進めることにする。
イ　補正事項イについて検討する。
　補正事項イは，【０６２９】〜【０６４２】，【０７５９】，【０８１４】，図９０の記載に基づくものであるから，新規事項を追加するものではない。
３　独立特許要件
　本件補正については，（３）アにおいて検討したように，上記（ｂ）の解釈であるとして，本件補正後の請求項３に記載された発明が特許出願の際独立して特許を受けることができるものであるか否か，すなわち，特許法第１７条の２第６項において準用する同法第１２６条第７項の規定に適合するか否か，について以下において検討する。
（１）本件補正後の請求項３に係る発明
　補正後の請求項３に係る発明（以下，「本願補正発明３」という。）は，上記「１　本件補正の概要」に本件補正後の請求項３として記載したとおりのものである（Ａ〜Ｍは，本願補正発明３を分説するために当審で付与した。）。
「【請求項３】
Ａ　遊技球が転動する遊技領域及び前記遊技領域に形成され前記遊技球の通過を検出するための検出領域を備えた遊技盤と，
Ｂ　前記検出領域を前記遊技球が通過したことを契機にして，遊技者にとって有利な遊技状態へ移行させるか否かの抽籤処理を実行する抽籤手段と，
Ｃ　前記抽籤手段による前記抽籤処理の結果に基づいた遊技の進行に関する情報を出力する情報出力手段と，
Ｄ　複数の周辺機器に接続されるとともに，
　複数の演出情報が記憶されている演出情報記憶手段と，
Ｅ　前記情報出力手段により出力された情報に基づいて，前記複数の演出情報から演出情報を決定する演出情報決定手段と，
Ｆ　前記演出情報決定手段により決定された前記演出情報を実行する演出情報実行手段と，
Ｇ　前記演出情報実行手段に報知させる前記演出情報を転送する演出情報転送手段と，を有し，
Ｈ　前記演出情報は，それぞれ複数の前記演出情報から構成されている第１の演出情報と，第２の演出情報とを含み，
Ｉ　前記第２の演出情報は，少なくとも前記演出情報の一部が，前記第１の演出情報に関連付けられており，
Ｊ　前記演出情報実行手段は，前記第１の演出情報に応じて演出を実行する第１の演出情報実行手段及び前記第２の演出情報に応じて演出を実行する第２の演出情報実行手段と，を備え，
Ｋ　前記第１の演出情報実行手段及び前記第２の演出情報実行手段は，前記複数の周辺機器のいずれかにより前記第１の演出情報及び前記第２の演出情報を実行可能な構成及び，前記第１の演出情報の実行状態及び前記第２の演出情報の実行状態を更新する構成を有し，
Ｌ　前記第１の演出情報の実行状態により前記第１の演出情報実行手段が前記第１の演出情報を実行している場合に，前記第２の演出情報の実行状態によって前記第２の演出情報を，前記第２の演出情報実行手段が実行しているか否かを判断する演出情報判断手段をさらに有し，
Ｍ　前記演出情報転送手段は，前記演出情報判断手段によって，前記第１の演出情報実行手段が前記第１の演出情報を実行している場合に，前記第２の演出情報を前記第２の演出情報実行手段が実行していないと判断された場合に，前記第２の演出情報実行手段に前記第１の演出情報に関連付けられた前記第２の演出情報を転送することを特徴とする遊技機。」
（２）刊行物に記載された事項
（２−１）刊行物１
　本願の出願前に頒布された特開２０１３−１９２８９９号公報（以下，「刊行物１」という。）には，図面とともに次の事項が記載されている（下線は当審で付した。以下同様。）。
（ア）「【０００３】
　また，図柄等のスクロール中には，時として
遊技者にとって有利な遊技状態（例えば，大当たり）
（イ）「【００２８】
　図２に示すように，
遊技盤１３は
ベース板６０に
レール６１，６２，
第１入球口６４，第２入球口６４０
等を組み付けて構成され
・・・
【００３０】
　遊技盤１３の前面には，帯状の金属板を略円弧状に屈曲加工して形成した外レール６２が植立され，その外レール６２の内側位置には外レール６２と同様に帯状の金属板で形成した円弧状の内レール６１が植立される。この内レール６１と外レール６２とにより遊技盤１３の前面外周が囲まれ，遊技盤１３とガラスユニット１６（図１参照）とにより前後が囲まれることにより，遊技盤１３の前面には，球の挙動により遊技が行われる遊技領域が形成される。
遊技領域は，遊技盤１３の前面であって２本のレール６１，６２と円弧部材７０とにより区画して形成される略円形状の領域（入賞口等が配設され，発射された球が流下する領域）である
（ウ）「【００６４】
　可変表示装置ユニット８０の下方には，球が入球し得る第１入球口６４が配設されている。この
第１入球口６４へ球が入球すると
第１入球口スイッチ（図示せず）がオンとなり，その
オンに起因して主制御装置１１０で大当たりの抽選がなされ，その抽選結果に応じた表示が第１図柄表示装置３７ＡのＬＥＤ３７Ａａで示される
【００６５】
　一方，可変表示装置ユニット８０の正面視右方には，球が入球し得る第２入球口６４０が配設されている。この
第２入球口６４０へ球が入球すると
第２入球口スイッチ（図示せず）がオンとなり，その
オンに起因して主制御装置１１０で大当たりの抽選がなされ，その抽選結果に応じた表示が第１図柄表示装置３７ＢのＬＥＤ３７Ｂａで示される
（エ）「【００８７】
　なお，払出制御装置１１１や
音声ランプ制御装置１１３などのサブ制御装置
主制御装置１１０から該サブ制御装置へ各種のコマンドがデータ送受信回路によって送信される
・・・
【００９２】
　ここで，図７及び図８を参照して，主制御装置１１０のＲＡＭ２０３内に設けられる各種カウンタと，ＲＯＭ２０２内に格納された各種テーブル２０２ａ〜２０２ｄと，ＲＡＭ２０３内に設けられた各種保留球格納エリア２０３ａ，２０３ｂ，２０３ｉ及び各種保留球実行エリア２０３ｃ，２０３ｊとについて説明する。まず，図７は，各種カウンタの概要を示す図である。これらのカウンタ等は，大当たり抽選や第１図柄表示装置３７および第３図柄表示装置８１の表示の設定，第２図柄表示装置８３の表示結果の抽選などを行うために，
主制御装置１１０のＭＰＵ２０１
（オ）「【０１０４】
　ここで，特図１保留球格納エリア２０３ｂ又は特図２保留球格納エリア２０３ｃ内の１の保留エリア（特図１保留第１〜第４エリア，特図２保留第１〜第４エリアのいずれか）に格納された第１当たり乱数カウンタＣ１の値が大当たりとなる乱数でなければ，即ち，外れとなる乱数であれば，
変動演出における変動パターンや，停止図柄の種別（以下「停止種別」と称す）
（カ）「【０１９８】
  
音声ランプ制御装置１１３のＭＰＵ２２１には，アドレスバス及びデータバスで構成されるバスライン２２４を介して入出力ポート２２５が接続されている。入出力ポート２２５には
表示制御装置１１４，音声出力装置２２６，ランプ表示装置２２７，枠ボタン２２などがそれぞれ接続されている
【０１９９】
　
音声ランプ制御装置１１３は，主制御装置１１０から受信した各種のコマンド（変動パターンコマンド，停止種別コマンド等）に基づいて，第３図柄表示装置８１の表示態様を決定し，決定した表示態様をコマンド（表示用変動パターンコマンド，表示用停止種別コマンド等）によって表示制御装置１１４へ通知する
【０２００】
　また，
音声ランプ制御装置１１３は，表示制御装置１１４から第３図柄表示装置８１の表示内容を表すコマンド（表示コマンド）を受信する
音声ランプ制御装置１１３では，表示制御装置１１４から受信した表示コマンドに基づき，第３図柄表示装置８１の表示内容
に対応する音声を音声出力装置２２６から出力し
【０２０１】
　ここで，図９（ａ）を参照して，
音声ランプ制御装置１１３のＲＯＭ２２２
ＲＯＭ２２２は，少なくとも音声データ記憶エリア２２２ａを有している
【０２０２】
　音声データ記憶エリア２２２ａは，音声出力装置２２６から出力させる音声を再生するためのデータである音声データを格納するエリアである。
音声データ記憶エリア２２２ａは
第３図柄表示装置８１において変動演出中にリーチが発生した場合に出力する音声（以下「リーチ音声」と称す）等，各音声の種別毎に対応する音声データが格納されている
【０２０３】
　
ＭＰＵ２２１は
音声データをＲＯＭ２２２２２２の音声データ記憶エリア２２２ａから読み出し，その音声データに基づいて再生した音声を音声出力装置２２６から出力する
（キ）「【０２８８】
　次に，図１１を参照して，表示制御装置１１４の電気的構成について説明する。図１１は，表示制御装置１１４の電気的構成を示すブロック図である。
表示制御装置１１４は，ＭＰＵ２３１
プログラムＲＯＭ２３２
を有している
・・・・
【０２９０】
　
入出力ポート２３８には
バスライン２４０を介して
プログラムＲＯＭ２３２
画像コントローラ２３７が接続され
画像コントローラ２３７には
バスライン２４１を介して出力ポート２３９が接続され
出力ポート２３９の出力側には，第３図柄表示装置８１が接続されている
・・・
【０２９２】
　
ＭＰＵ２３１は
第３図柄表示装置８１の表示内容を制御する
ＲＯＭ２３２は，表示データテーブル格納エリア２３２ａを
有している
【０２９３】
　
表示データテーブル格納エリア２３２ａは，主制御装置１１０からのコマンドに基づき表示させる演出毎に用意された表示データテーブルが格納される領域
・・・
【０２９８】
　表示データテーブル格納エリア２３２ａには，デモ演出および再始動演出に対応する表示データテーブルをそれぞれ１つずつ格納する。
変動演出用の表示データテーブルである変動用表示データテーブルは，設定される変動演出パターンと停止図柄との組み合わせに応じて
（ク）「【０３１７】
　
ＭＰＵ２３１は
音声ランプ制御装置１１３から送信されるコマンド（例えば，表示用変動パターンコマンド）等に応じて，使用する表示データテーブルを選定し，その選定した表示データテーブルをデータテーブル格納エリア２３３ｂから読み出して，ワークＲＡＭ２３３に設けられた
表示データテーブルバッファ２３３ａに格納すると共に，ポインタ２３３ｂを初期化する。
１フレーム分の描画処理が完了する度にポインタ２３３ｂを１加算し
ポインタ２３３ｂの更新に従って
表示データテーブルで規定された
画像が第３図柄表示装置８１に表示され
（ケ）「【０４６６】
　一方，変動パターンコマンドを受信していないと判別された場合（Ｓ２００１：Ｎｏ），次いで，主制御装置１１０より停止種別コマンドを受信したか否かを判別する（Ｓ２００３）。そして，停止種別コマンドを受信したと判別された場合（Ｓ２００３：Ｙｅｓ），変動開始フラグをオンに設定し（Ｓ２００４），その
停止種別コマンドで示される停止種別（１５Ｒ確変大当たり，４Ｒ確変大当たり，１５Ｒ通常大当たり，完全外れ，前後外れリーチ，前後外れ以外リーチ）
（コ）「【０４８６】
　
表示制御装置１１４では
受信する
表示用変動パターンコマンドに
示される変動パターンで第３図柄表示装置８１に第３図柄の変動表示が行われるように
変動演出の表示制御を開始する
受信する
表示用停止種別コマンドで示された停止図柄を表示する
（サ）「【０６１３】
　次いで，図４０及び図４１を参照して，第５実施形態におけるパチンコ機１０について説明する。第１〜第４実施形態におけるパチンコ機１０では，音声ランプ制御装置１１３のＲＡＭ２２３の再生音声データ記憶エリア２２３ｄに，第１〜第４チャンネル用エリア２２３ｄ１〜ｄ４を設け，リーチ音声を再生する音声データを第１〜第４チャンネル用エリア２２３ｄ１〜ｄ４のいずれかのエリアに設定する場合について説明した。これに対し，第５実施形態における
パチンコ機１０
【０６１４】
　なお，本第５実施形態において，第４実施形態と同様に，通常リーチ音声は，第１〜第３実施形態のような２０ミリ秒間の無音区間を必要とせず，通常リーチ音声の再生が開始されると，即座に「リーチだ！」といった有音区間の再生が行われる。また，本第５実施形態におけるパチンコ機１０の構成は，音声ランプ制御装置１１３のＲＡＭ２２３の一部の構成と，ＭＰＵ２２１によって実行される音声再生設定処理（Ｓ１９１６）の一部の処理とを除き，第１，第３，第４実施形態と同一である。例えば，
表示制御装置１１４は，ダブルリーチが第３図柄表示装置８１に表示された場合に，第３図柄表示装置８１の表示内容として，まず，確変リーチを成立させたリーチ図柄の種類と
リーチ成立を通知するリーチ表示コマンドを送信し，その後，直ぐに，通常リーチを成立させたリーチ図柄の種類と
リーチ成立を通知するリーチ表示コマンドを送信する
・・・
【０６１６】
　リーチ音声用エリア２２３ｄ５は，リーチ音声を再生するための音声データを専ら格納するための専用エリアである。
ＭＰＵ２２１は，表示制御装置１１４から
のリーチ表示コマンドで示されるリーチ図柄に対応する音声データ（第０図柄通常リーチ音声データ２２２ａ０，第１図柄確変リーチ音声データ２２２ａ１，
・・・，第９図柄確変リーチ音声データ２２２ａ９のいずれか）を音声データ記憶エリア２２２ａから読み出し，読み出したリーチ音声データを，リーチ音声用エリア２２３ｄ５へ格納する
・・・
【０６２０】
　図４１は，第５実施形態における
音声ランプ制御装置１１３内のＭＰＵ２２１により実行される音声再生設定処理
・・・
【０６２３】
　Ｓ２３０２の処理の結果，
リーチ表示コマンドを受信していれば（Ｓ２３０２：Ｙｅｓ），次いで，リーチ音声用エリア使用中フラグ２２３ｍはオフか否かを判断する（Ｓ２３４２）。その結果，リーチ音声用エリア使用中フラグ２２３ｍがオフであれば（Ｓ２３４２：Ｙｅｓ），そのリーチ表示コマンドで示されるリーチ図柄に対応したリーチ音声データを，音声データ記憶エリア２２２ａの第０図柄通常リーチ音声データ２２２ａ０，第１図柄確変リーチ音声データ２２２ａ１，
・・・第９確変リーチ音声データ２２２ａ９の中から読み出して，再生音声データ記憶エリア２２３ｄのリーチ音声用エリア２２３ｄ５に設定し，リーチ音声の再生を開始する（Ｓ２３４３）
【０６２４】
　また，Ｓ２３４２の処理の結果，
リーチ音声用エリア使用中フラグ２２３ｍがオンである場合は（Ｓ２３４２：Ｎｏ），受信したリーチ表示コマンドを消去して（Ｓ２３３５），音声再生設定処理を終了する
・・・
【０６２６】
　ここで，
第３図柄表示装置８１においてダブルリーチが表示された場合，表示制御装置１１４は，音声ランプ制御装置１１３に対して
リーチ表示コマンドを送信する
【０６２７】
　このとき，
音声ランプ制御装置１１４では，確変リーチを成立させたリーチ図柄の種類と
リーチ成立を通知するリーチ表示コマンドを受信すると
その確変リーチを成立させたリーチ図柄（主図柄）に対応する確変リーチ音声を再生するための音声データをリーチ用音声エリア２２３ｄ５に設定し，その確変リーチ音声の再生を開始する。このとき，確変リーチ音声の再生が終了するまで，リーチ音声用エリア２２３ｄ５は使用中の状態となり，リーチ音声用エリア使用中フラグ２２３ｍがオンとなる
【０６２８】
　次いで，音声ランプ制御装置１１４では，通常リーチを成立させたリーチ図柄の種類とあわせてリーチ成立を通知するリーチ表示コマンドを受信するが，このリーチ表示コマンドは，
確変リーチ
の
リーチ表示コマンドの受信後，すぐに
通常リーチを成立させたリーチ図柄の種類と
リーチ成立を通知するリーチ表示コマンドを受信したとき，リーチ音声用エリア２２３ｄ５は使用中の状態であり，リーチ音声用エリア使用中フラグ２２３ｍがオンとなっている。これにより，このリーチ表示コマンドは無視され，通常リーチ音声は非出力となる
・・・
【０６３２】
　これに対し，本パチンコ機１０では，
ダブルリーチが第３図柄表示装置８１に表示された場合に，音声ランプ制御装置１１３がリーチ表示コマンドを表示制御装置１１４より受信すると
受信したリーチ表示コマンドによって示されるリーチ図柄（主図柄）に対応するリーチ音声を出力する
確変リーチ音声だけを遊技者に聞かせる
（シ）上記【００３０】の「遊技領域は，遊技盤１３の前面であって２本のレール６１，６２と円弧部材７０とにより区画して形成される略円形状の領域（入賞口等が配設され，発射された球が流下する領域）である」との記載，上記【００２８】の「遊技盤１３は・・・ベース板６０に・・・レール６１，６２，・・・第１入球口６４，第２入球口６４０・・・等を組み付けて構成され」との記載，上記【００６４】の「第１入球口６４へ球が入球すると・・・第１入球口スイッチ（図示せず）がオンとなり」との記載，上記【００６５】の「第２入球口６４０へ球が入球すると・・・第２入球口スイッチ（図示せず）がオンとなり」との記載を参酌すると，図２には，
発射された球が流下する遊技領域，遊技領域に配設され球が入球すると第１入球口スイッチがオンとなる第１入球口６４，及び遊技領域に配設され球が入球すると第２入球口スイッチがオンとなる第２入球口６４０，を配設した遊技盤１３
（ス）上記【０２９０】の「入出力ポート２３８には・・・バスライン２４０を介して・・・プログラムＲＯＭ２３２・・・画像コントローラ２３７が接続され・・・画像コントローラ２３７には・・・バスライン２４１を介して出力ポート２３９が接続され・・・出力ポート２３９の出力側には，第３図柄表示装置８１が接続されている」との記載，上記【０２９２】の「ＲＯＭ２３２は，表示データテーブル格納エリア２３２ａを・・・有している」との記載，上記【０２８８】の「表示制御装置１１４は・・・プログラムＲＯＭ２３２・・・を有している」との記載を参酌すると，図１１には，
第３図柄表示装置８１と画像コントローラ２３７を介して接続されると共に，表示データテーブル格納エリア２３２ａを有する表示制御装置１１４のプログラムＲＯＭ２３２
（セ）上記【０１９８】には「音声ランプ制御装置１１３のＭＰＵ２２１には，アドレスバス及びデータバスで構成されるバスライン２２４を介して入出力ポート２２５が接続されている。入出力ポート２２５には・・・表示制御装置１１４，音声出力装置２２６，ランプ表示装置２２７，枠ボタン２２などがそれぞれ接続されている」と記載され，上記【０２０１】には「音声ランプ制御装置１１３のＲＯＭ２２２・・・ＲＯＭ２２２は，・・・音声データ記憶エリア２２２ａを有している」と記載され，上記【０２０３】には「ＭＰＵ２２１は・・・音声データをＲＯＭ２２２２２２の音声データ記憶エリア２２２ａから読み出し，その音声データに基づいて再生した音声を音声出力装置２２６から出力する」と記載されている。上記【０２０１】の「ＲＯＭ２２２」との記載から，上記【０２０３】の「ＲＯＭ２２２２２２」は「ＲＯＭ２２２」の誤記であることは明らかであり，上記【０２０３】の「ＭＰＵ２２１は・・・音声データをＲＯＭ２２２の音声データ記憶エリア２２２ａから読み出し」との記載から，ＭＰＵ２２１はＲＯＭ２２２と接続されていることは明らかである。これらのことを参酌すると，図５，９（ａ）には，
音声出力装置２２６，ランプ表示装置２２７と接続されると共に，音声データ記憶エリア２２２ａを有する音声ランプ制御装置１１３のＲＯＭ２２２
　上記記載事項（ア）〜（サ），上記図示内容（シ）〜（セ）より，以下の事項が導かれる。
　なお，（ａ）〜（ｍ）は，本願補正発明３の構成Ａ〜Ｍに対応した事項を示している。
（ａ）上記（シ）には図２の図示内容として「発射された球が流下する遊技領域，遊技領域に配設され球が入球すると第１入球口スイッチがオンとなる第１入球口６４，及び遊技領域に配設され球が入球すると第２入球口スイッチがオンとなる第２入球口６４０，を配設した遊技盤１３」が記載されているから，刊行物１には，
発射された球が流下する遊技領域，遊技領域に配設され球が入球すると第１入球口スイッチがオンとなる第１入球口６４，及び遊技領域に配設され球が入球すると第２入球口スイッチがオンとなる第２入球口６４０，を配設した遊技盤１３
（ｂ）上記【００６４】には「第１入球口６４へ球が入球すると・・・第１入球口スイッチ（図示せず）がオンとなり，その・・・オンに起因して主制御装置１１０で大当たりの抽選がなされ」と記載され，上記【００６５】には「第２入球口６４０へ球が入球すると・・・第２入球口スイッチ（図示せず）がオンとなり，その・・・オンに起因して主制御装置１１０で大当たりの抽選がなされ」と記載され，上記【０００３】には「遊技者にとって有利な遊技状態（例えば，大当たり）」と記載され，上記【００９２】には「主制御装置１１０のＭＰＵ２０１」と記載されており，ＭＰＵ２０１が主制御装置１１０の制御を行うことは明らかであるから，刊行物１には，
第１入球口６４又は第２入球口６４０へ球が入球すると第１入球口スイッチ又は第２入球口スイッチがオンとなり，そのオンに起因して遊技者にとって有利な遊技状態である大当たりの抽選をする主制御装置１１０のＭＰＵ２０１
（ｃ）上記【００８７】には「音声ランプ制御装置１１３などのサブ制御装置・・・主制御装置１１０から該サブ制御装置へ各種のコマンドがデータ送受信回路によって送信される」と記載され，上記【０１９９】には「各種のコマンド（変動パターンコマンド，停止種別コマンド等）」と記載され，上記【０４６６】には「停止種別コマンドで示される停止種別（１５Ｒ確変大当たり，４Ｒ確変大当たり，１５Ｒ通常大当たり，完全外れ，前後外れリーチ，前後外れ以外リーチ）」と記載され，上記【００９２】には「主制御装置１１０のＭＰＵ２０１」と記載されており，ＭＰＵ２０１が主制御装置１１０の制御を行うことは明らかであるから，刊行物１には，
音声ランプ制御装置１１３へ各種のコマンド（変動パターンコマンド，大当たり・リーチなどの停止種別が示される停止種別コマンド等）をデータ送受信回路によって送信する主制御装置１１０のＭＰＵ２０１
（ｄ）上記（ス）には図１１の図示内容として「第３図柄表示装置８１と画像コントローラ２３７を介して接続されると共に，表示データテーブル格納エリア２３２ａを有する表示制御装置１１４のプログラムＲＯＭ２３２」が記載され，上記【０２９３】には「表示データテーブル格納エリア２３２ａは，主制御装置１１０からのコマンドに基づき表示させる演出毎に用意された表示データテーブルが格納される領域」と記載され，上記【０２９８】には「変動演出用の表示データテーブルである変動用表示データテーブルは，設定される変動演出パターンと停止図柄との組み合わせに応じて」と記載され，上記【０１０４】には「変動演出における変動パターンや，停止図柄の種別（以下「停止種別」と称す）」と記載されている。ここで，上記【０２９８】の「変動演出用の表示データテーブルである変動用表示データテーブルは，設定される変動演出パターンと停止図柄との組み合わせに応じて」との記載，上記【０１０４】の「変動演出における変動パターンや，停止図柄の種別（以下「停止種別」と称す）」との記載から，変動用表示データテーブルには，変動パターンと停止図柄（停止種別）が設定されているといえるから，刊行物１には，
第３図柄表示装置８１と画像コントローラ２３７を介して接続され，主制御装置１１０からのコマンドに基づき表示させる演出毎に用意された変動演出パターンと停止図柄（停止種別）が設定されている変動用表示データテーブル等の表示データテーブルが格納される表示データテーブル格納エリア２３２ａを有する表示制御装置１１４のプログラムＲＯＭ２３２
　また，上記（セ）には図５，９（ａ）の図示内容として「音声出力装置２２６，ランプ表示装置２２７と接続されると共に，音声データ記憶エリア２２２ａを有する音声ランプ制御装置１１３のＲＯＭ２２２」が記載され，上記【０２０２】には「音声データ記憶エリア２２２ａは・・・第３図柄表示装置８１において変動演出中にリーチが発生した場合に出力する音声（以下「リーチ音声」と称す）等，各音声の種別毎に対応する音声データが格納されている」と記載され，上記【０６１６】には「リーチ表示コマンドで示されるリーチ図柄に対応する音声データ（第０図柄通常リーチ音声データ２２２ａ０，第１図柄確変リーチ音声データ２２２ａ１，・・・，第９図柄確変リーチ音声データ２２２ａ９のいずれか）を音声データ記憶エリア２２２ａから読み出し，読み出したリーチ音声データ」と記載され，上記【０２０１】には「ＲＯＭ２２２は，少なくとも音声データ記憶エリア２２２ａを有している」と記載されているから，刊行物１には，
音声出力装置２２６，ランプ表示装置２２７と接続され，第３図柄表示装置８１において変動演出中にリーチが発生した場合に出力するリーチ表示コマンドのリーチ図柄に対応するリーチ音声データ（第０図柄通常リーチ音声データ２２２ａ０，第１図柄確変リーチ音声データ２２２ａ１，・・・，第９図柄確変リーチ音声データ２２２ａ９のいずれか）等，各音声の種別毎に対応する音声データが格納されている音声データ記憶エリア２２２ａを少なくとも有する音声ランプ制御装置１１３のＲＯＭ２２２
　これらのことから，刊行物１には，
第３図柄表示装置８１と画像コントローラ２３７を介して接続され，主制御装置１１０からのコマンドに基づき表示させる演出毎に用意された変動演出パターンと停止図柄（停止種別）が設定されている変動用表示データテーブル等の表示データテーブルが格納される表示データテーブル格納エリア２３２ａを有する表示制御装置１１４のプログラムＲＯＭ２３２と，音声出力装置２２６，ランプ表示装置２２７と接続され，第３図柄表示装置８１において変動演出中にリーチが発生した場合に出力するリーチ表示コマンドのリーチ図柄に対応するリーチ音声データ（第０図柄通常リーチ音声データ２２２ａ０，第１図柄確変リーチ音声データ２２２ａ１，・・・，第９図柄確変リーチ音声データ２２２ａ９のいずれか）等，各音声の種別毎に対応する音声データが格納されている音声データ記憶エリア２２２ａを少なくとも有する音声ランプ制御装置１１３のＲＯＭ２２２
（ｅ）上記【０１９９】には「音声ランプ制御装置１１３は，主制御装置１１０から受信した各種のコマンド（変動パターンコマンド，停止種別コマンド等）に基づいて，第３図柄表示装置８１の表示態様を決定し，決定した表示態様をコマンド（表示用変動パターンコマンド，表示用停止種別コマンド等）によって表示制御装置１１４へ通知する」と記載され，上記【０６１４】には「ダブルリーチが第３図柄表示装置８１に表示された場合」と記載され，上記【０１９８】には「音声ランプ制御装置１１３のＭＰＵ２２１」と記載されており，ＭＰＵ２２１が音声ランプ制御装置１１３の制御を行うことは明らかである。ここで，上記【０６１４】の「ダブルリーチが第３図柄表示装置８１に表示された場合」との記載から，上記【０１９９】の「第３図柄表示装置８１の表示態様」には，ダブルリーチ等の表示態様が含まれていることは明らかであるから，刊行物１には，
主制御装置１１０から受信した各種のコマンド（変動パターンコマンド，停止種別コマンド等）に基づいて，第３図柄表示装置８１の表示態様としてダブルリーチ等の表示態様を決定し，決定したダブルリーチ等の表示態様のコマンド（表示用変動パターンコマンド，表示用停止種別コマンド等）によって表示制御装置１１４へ通知する音声ランプ制御装置１１３のＭＰＵ２２１と，
　また，上記【０２００】には「音声ランプ制御装置１１３は，表示制御装置１１４から第３図柄表示装置８１の表示内容を表すコマンド（表示コマンド）を受信する」と記載されているが，表示制御装置１１４から見ると，「表示制御装置１１４は，第３図柄表示装置８１の表示内容を表す表示コマンドを音声ランプ制御装置１１３に送信する」といえる。加えて，上記【０６１４】には「表示制御装置１１４は，ダブルリーチが第３図柄表示装置８１に表示された場合に，第３図柄表示装置８１の表示内容として，まず，確変リーチを成立させたリーチ図柄の種類と・・・リーチ成立を通知するリーチ表示コマンドを送信し，その後，直ぐに，通常リーチを成立させたリーチ図柄の種類と・・・リーチ成立を通知するリーチ表示コマンドを送信する」と記載され，上記【０２８８】には「表示制御装置１１４は，ＭＰＵ２３１・・・を有している」と記載されており，ＭＰＵ２３１が表示制御装置１１４の制御を行うことは明らかであるから，刊行物１には，
第３図柄表示装置８１の表示内容を表す表示コマンドを音声ランプ制御装置１１３に送信するが，ダブルリーチが第３図柄表示装置８１に表示された場合は，第３図柄表示装置８１の表示内容として，まず，確変リーチのリーチ図柄の種類とリーチ成立を通知するリーチ表示コマンドを送信し，その後，直ぐに，通常リーチのリーチ図柄の種類とリーチ成立を通知するリーチ表示コマンドを送信する表示制御装置１１４のＭＰＵ２３１
　これらのことから，
主制御装置１１０から受信した各種のコマンド（変動パターンコマンド，停止種別コマンド等）に基づいて，第３図柄表示装置８１の表示態様としてダブルリーチ等の表示態様を決定し，決定したダブルリーチ等の表示態様のコマンド（表示用変動パターンコマンド，表示用停止種別コマンド等）によって表示制御装置１１４へ通知する音声ランプ制御装置１１３のＭＰＵ２２１と，第３図柄表示装置８１の表示内容を表す表示コマンドを音声ランプ制御装置１１３に送信するが，ダブルリーチが第３図柄表示装置８１に表示された場合は，第３図柄表示装置８１の表示内容として，まず，確変リーチのリーチ図柄の種類とリーチ成立を通知するリーチ表示コマンドを送信し，その後，直ぐに，通常リーチのリーチ図柄の種類とリーチ成立を通知するリーチ表示コマンドを送信する表示制御装置１１４のＭＰＵ２３１
（ｆ，ｊ）上記【０４８６】には「表示制御装置１１４では・・・受信する・・・表示用変動パターンコマンドに・・・示される変動パターンで第３図柄表示装置８１に第３図柄の変動表示が行われるように・・・変動演出の表示制御を開始する・・・受信する・・・表示用停止種別コマンドで示された停止図柄を表示する」と記載され，上記【０２９２】には「ＭＰＵ２３１は・・・第３図柄表示装置８１の表示内容を制御する」と記載され，上記（ｅ）において検討したように，第３図柄表示装置８１の表示態様には，ダブルリーチ等の表示態様が含まれていることは明らかであるから，刊行物１には，
受信した表示用変動パターンコマンドに示される変動パターンで第３図柄表示装置８１に第３図柄の変動表示が行われるようにダブルリーチ等の変動演出を開始し，受信した表示用停止種別コマンドで示された停止図柄を表示する表示制御装置１１４のＭＰＵ２３１
　また，上記【０２００】には「音声ランプ制御装置１１３では，表示制御装置１１４から受信した表示コマンドに基づき，第３図柄表示装置８１の表示内容・・・に対応する音声を音声出力装置２２６から出力し」と記載され，上記【０６３２】には「ダブルリーチが第３図柄表示装置８１に表示された場合に，音声ランプ制御装置１１３がリーチ表示コマンドを表示制御装置１１４より受信すると・・・受信したリーチ表示コマンドによって示されるリーチ図柄（主図柄）に対応するリーチ音声を出力する・・・確変リーチ音声だけを遊技者に聞かせる」と記載され，上記【０２０２】には「各音声の種別毎に対応する音声データが格納されている」と記載され，上記【０２０３】には「ＭＰＵ２２１は・・・音声を音声出力装置２２６から出力する」と記載されている。ここで，上記【０２０２】の「各音声の種別毎に対応する音声データ」との記載から，音声データに音声が対応しているといえることも踏まえると，刊行物１には，
表示制御装置１１４から受信したリーチ表示コマンド等の表示コマンドに基づき，第３図柄表示装置８１の表示内容に対応する確変リーチ音声等の音声データに対応する音声を音声出力装置２２６から出力する音声ランプ制御装置１１３のＭＰＵ２２１
　これらのことから，刊行物１には，
受信した表示用変動パターンコマンドに示される変動パターンで第３図柄表示装置８１に第３図柄の変動表示が行われるようにダブルリーチ等の変動演出を開始し，受信した表示用停止種別コマンドで示された停止図柄を表示する表示制御装置１１４のＭＰＵ２３１と，表示制御装置１１４から受信したリーチ表示コマンド等の表示コマンドに基づき，第３図柄表示装置８１の表示内容に対応する確変リーチ音声等の音声データに対応する音声を音声出力装置２２６から出力する音声ランプ制御装置１１３のＭＰＵ２２１
（ｇ）上記【０３１７】には「ＭＰＵ２３１は・・・音声ランプ制御装置１１３から送信されるコマンド（例えば，表示用変動パターンコマンド）等に応じて，使用する表示データテーブルを選定し，その選定した表示データテーブルをデータテーブル格納エリア２３３ｂから読み出して，ワークＲＡＭ２３３に設けられた・・・表示データテーブルバッファ２３３ａに格納すると共に，ポインタ２３３ｂを初期化する」と記載され，上記【０２８８】には「表示制御装置１１４は，ＭＰＵ２３１・・・を有している」と記載され，上記【０２９２】には「ＲＯＭ２３２は，表示データテーブル格納エリア２３２ａを・・・有している」と記載されている。ここで，上記【０２９２】の「表示データテーブル格納エリア２３２ａ」という記載，上記【０３１７】の「ポインタ２３３ｂ」という記載から，上記【０３１７】の記載「データテーブル格納エリア２３３ｂ」は「表示データテーブル格納エリア２３２ａ」の誤記であることは明らかであることを踏まえると，刊行物１には，
音声ランプ制御装置１１３から送信されるコマンド（例えば，表示用変動パターンコマンド）等に応じて，使用する表示データテーブルを選定し，その選定した表示データテーブルを表示データテーブル格納エリア２３２ａから読み出して，ワークＲＡＭ２３３に設けられた表示データテーブルバッファ２３３ａに格納する表示制御装置１１４のＭＰＵ２３１
　また，上記【０６１６】には「ＭＰＵ２２１は，表示制御装置１１４から・・・のリーチ表示コマンドで示されるリーチ図柄に対応する音声データ（第０図柄通常リーチ音声データ２２２ａ０，第１図柄確変リーチ音声データ２２２ａ１，・・・，第９図柄確変リーチ音声データ２２２ａ９のいずれか）を音声データ記憶エリア２２２ａから読み出し，読み出したリーチ音声データを，リーチ音声用エリア２２３ｄ５へ格納する」と記載され，上記【０６２０】には「音声ランプ制御装置１１３内のＭＰＵ２２１」と記載されているから，
表示制御装置１１４からのリーチ表示コマンドで示されるリーチ図柄に対応する音声データ（第０図柄通常リーチ音声データ２２２ａ０，第１図柄確変リーチ音声データ２２２ａ１，・・・，第９図柄確変リーチ音声データ２２２ａ９のいずれか）を音声データ記憶エリア２２２ａから読み出し，読み出したリーチ音声データを，リーチ音声用エリア２２３ｄ５へ格納する音声ランプ制御装置１１３のＭＰＵ２２１
　これらのことから，刊行物１には，
音声ランプ制御装置１１３から送信されるコマンド（例えば，表示用変動パターンコマンド）等に応じて，使用する表示データテーブルを選定し，その選定した表示データテーブルを表示データテーブル格納エリア２３２ａから読み出して，ワークＲＡＭ２３３に設けられた表示データテーブルバッファ２３３ａに格納する表示制御装置１１４のＭＰＵ２３１と，表示制御装置１１４からのリーチ表示コマンドで示されるリーチ図柄に対応する音声データ（第０図柄通常リーチ音声データ２２２ａ０，第１図柄確変リーチ音声データ２２２ａ１，・・・，第９図柄確変リーチ音声データ２２２ａ９のいずれか）を音声データ記憶エリア２２２ａから読み出し，読み出したリーチ音声データを，リーチ音声用エリア２２３ｄ５へ格納する音声ランプ制御装置１１３のＭＰＵ２２１
（ｈ）上記（ｄ）で検討したように，刊行物１には「演出毎に用意された変動演出パターンと停止図柄（停止種別）が設定されている変動用表示データテーブル」と，「リーチ図柄に対応するリーチ音声データ（第０図柄通常リーチ音声データ２２２ａ０，第１図柄確変リーチ音声データ２２２ａ１，・・・，第９図柄確変リーチ音声データ２２２ａ９のいずれか）」が記載されているから，刊行物１には，
変動演出パターンと停止図柄（停止種別）が設定されている変動用表示データテーブルは演出毎に用意され，リーチ音声データ（第０図柄通常リーチ音声データ２２２ａ０，第１図柄確変リーチ音声データ２２２ａ１，・・・，第９図柄確変リーチ音声データ２２２ａ９のいずれか）はリーチ図柄に対応し
（ｉ）上記（ｅ）で検討したように，刊行物１には「ダブルリーチ等の表示態様のコマンド（表示用変動パターンコマンド，表示用停止種別コマンド等）によって表示制御装置１１４へ通知する音声ランプ制御装置１１３のＭＰＵ２２１」が記載され，上記【０６３２】には「ダブルリーチが第３図柄表示装置８１に表示された場合に，音声ランプ制御装置１１３が・・・表示制御装置１１４より・・・受信したリーチ表示コマンドによって示されるリーチ図柄（主図柄）に対応するリーチ音声を出力する・・・確変リーチ音声だけを遊技者に聞かせる」と記載され，上記（ｄ）で検討したように，刊行物１には「リーチ表示コマンドのリーチ図柄に対応するリーチ音声データ」が記載されているから，刊行物１には，
ダブルリーチの表示態様のコマンド（表示用変動パターンコマンド，表示用停止種別コマンド等）によって音声ランプ制御装置１１３から表示制御装置１１４へダブルリーチの表示態様が通知され，ダブルリーチが第３図柄表示装置８１に表示された場合に，音声ランプ制御装置１１３が表示制御装置１１４より受信したリーチ表示コマンドのリーチ図柄に対応するリーチ音声データである確変リーチ音声を出力する
（ｋ）上記（ｇ）で検討したように，刊行物１には「音声ランプ制御装置１１３から送信されるコマンド（例えば，表示用変動パターンコマンド）等に応じて，使用する表示データテーブルを選定し，その選定した表示データテーブルを表示データテーブル格納エリア２３２ａから読み出して，ワークＲＡＭ２３３に設けられた表示データテーブルバッファ２３３ａに格納する表示制御装置１１４のＭＰＵ２３１」が記載され，ダブルリーチが表示される場合，送信されるコマンドがダブルリーチの表示用変動パターンコマンドであり，画像がダブルリーチの画像であることは明らかであり，上記【０３１７】には「ＭＰＵ２３１は・・・表示データテーブルバッファ２３３ａに格納すると共に，・・・１フレーム分の描画処理が完了する度にポインタ２３３ｂを１加算し・・・ポインタ２３３ｂの更新に従って・・・表示データテーブルで規定された・・・画像が第３図柄表示装置８１に表示され」と記載されているから，刊行物１には，
表示制御装置１１４のＭＰＵ２３１は，ダブルリーチが表示される場合，音声ランプ制御装置１１３から送信されるコマンド（ダブルリーチの表示用変動パターンコマンド）に応じて，使用する表示データテーブルを選定し，ワークＲＡＭ２３３に設けられた表示データテーブルバッファ２３３ａに格納すると共に，１フレーム分の描画処理が完了する度にポインタ２３３ｂを１加算し，ポインタ２３３ｂの更新に従って表示データテーブルで規定されたダブルリーチの画像を第３図柄表示装置８１に表示する
　また，上記【０６２０】には「音声ランプ制御装置１１３内のＭＰＵ２２１により実行される音声再生設定処理」と記載され，上記【０６２６】には「第３図柄表示装置８１においてダブルリーチが表示された場合，表示制御装置１１４は，音声ランプ制御装置１１３に対して・・・リーチ表示コマンドを送信する」と記載され，上記【０６２７】には「音声ランプ制御装置１１４では，確変リーチを成立させたリーチ図柄の種類と・・・リーチ成立を通知するリーチ表示コマンドを受信すると・・・その確変リーチを成立させたリーチ図柄（主図柄）に対応する確変リーチ音声を再生するための音声データをリーチ用音声エリア２２３ｄ５に設定し，その確変リーチ音声の再生を開始する。このとき，確変リーチ音声の再生が終了するまで，リーチ音声用エリア２２３ｄ５は使用中の状態となり，リーチ音声用エリア使用中フラグ２２３ｍがオンとなる」と記載され，上記【０６２３】には「リーチ音声データを，・・・リーチ音声用エリア２２３ｄ５に設定し」と記載され，上記【０２００】には「対応する音声を音声出力装置２２６から出力し」と記載され，上記【０６２８】には「確変リーチ・・・の・・・リーチ表示コマンドの受信後，すぐに・・・通常リーチを成立させたリーチ図柄の種類と・・・リーチ成立を通知するリーチ表示コマンドを受信したとき，リーチ音声用エリア２２３ｄ５は使用中の状態であり，リーチ音声用エリア使用中フラグ２２３ｍがオンとなっている。これにより，このリーチ表示コマンドは無視され，通常リーチ音声は非出力となる」と記載されている。ここで，上記【０６２６】の「表示制御装置１１４は，音声ランプ制御装置１１３に対して」との記載から，上記【０６２７】の「音声ランプ制御装置１１４」は「音声ランプ制御装置１１３」の誤記であることを踏まえると，刊行物１には，
音声ランプ制御装置１１３のＭＰＵ２２１は，第３図柄表示装置８１においてダブルリーチが表示された場合，確変リーチのリーチ図柄の種類とリーチ成立を通知するリーチ表示コマンドを受信すると，その確変リーチのリーチ図柄（主図柄）に対応する確変リーチ音声を再生するためのリーチ音声データをリーチ用音声エリア２２３ｄ５に設定して音声出力装置２２６から確変リーチ音声の再生を開始し，確変リーチ音声の再生が終了するまで，リーチ音声用エリア２２３ｄ５は使用中の状態となり，リーチ音声用エリア使用中フラグ２２３ｍがオンとなり，確変リーチのリーチ表示コマンドの受信後すぐに，通常リーチのリーチ図柄の種類とリーチ成立を通知するリーチ表示コマンドを受信したとき，リーチ音声用エリア２２３ｄ５は使用中の状態でリーチ音声用エリア使用中フラグ２２３ｍがオンとなっており，このリーチ表示コマンドは無視され，通常リーチ音声は非出力となる
　これらのことから，刊行物１には，
表示制御装置１１４のＭＰＵ２３１は，ダブルリーチが表示される場合，音声ランプ制御装置１１３から送信されるコマンド（ダブルリーチの表示用変動パターンコマンド）に応じて，使用する表示データテーブルを選定し，ワークＲＡＭ２３３に設けられた表示データテーブルバッファ２３３ａに格納すると共に，１フレーム分の描画処理が完了する度にポインタ２３３ｂを１加算し，ポインタ２３３ｂの更新に従って表示データテーブルで規定されたダブルリーチの画像を第３図柄表示装置８１に表示し，音声ランプ制御装置１１３のＭＰＵ２２１は，第３図柄表示装置８１においてダブルリーチが表示された場合，確変リーチのリーチ図柄の種類とリーチ成立を通知するリーチ表示コマンドを受信すると，その確変リーチのリーチ図柄（主図柄）に対応する確変リーチ音声を再生するためのリーチ音声データをリーチ用音声エリア２２３ｄ５に設定して音声出力装置２２６から確変リーチ音声の再生を開始し，確変リーチ音声の再生が終了するまで，リーチ音声用エリア２２３ｄ５は使用中の状態となり，リーチ音声用エリア使用中フラグ２２３ｍがオンとなり，確変リーチのリーチ表示コマンドの受信後すぐに，通常リーチのリーチ図柄の種類とリーチ成立を通知するリーチ表示コマンドを受信したとき，リーチ音声用エリア２２３ｄ５は使用中の状態でリーチ音声用エリア使用中フラグ２２３ｍがオンとなっており，このリーチ表示コマンドは無視され，通常リーチ音声は非出力となる
（ｌ，ｍ）上記（ｉ）で検討したように，刊行物１には「ダブルリーチの表示態様のコマンド（表示用変動パターンコマンド，表示用停止種別コマンド等）によって音声ランプ制御装置１１３から表示制御装置１１４へダブルリーチの表示態様が通知され，ダブルリーチが第３図柄表示装置８１に表示された場合」が記載され，上記（ｋ）で検討したように，刊行物１には「音声ランプ制御装置１１３のＭＰＵ２２１は，第３図柄表示装置８１においてダブルリーチが表示された場合，確変リーチのリーチ図柄の種類とリーチ成立を通知するリーチ表示コマンドを受信すると，その確変リーチのリーチ図柄（主図柄）に対応する確変リーチ音声を再生するためのリーチ音声データをリーチ用音声エリア２２３ｄ５に設定して音声出力装置２２６から確変リーチ音声の再生を開始し，確変リーチ音声の再生が終了するまで，リーチ音声用エリア２２３ｄ５は使用中の状態となり，リーチ音声用エリア使用中フラグ２２３ｍがオンとなり，確変リーチのリーチ表示コマンドの受信後すぐに，通常リーチのリーチ図柄の種類とリーチ成立を通知するリーチ表示コマンドを受信したとき，リーチ音声用エリア２２３ｄ５は使用中の状態でリーチ音声用エリア使用中フラグ２２３ｍがオンとなっており，このリーチ表示コマンドは無視され，通常リーチ音声は非出力となる」ことが記載され，上記【０６２３】には「リーチ表示コマンドを受信していれば（Ｓ２３０２：Ｙｅｓ），次いで，リーチ音声用エリア使用中フラグ２２３ｍはオフか否かを判断する（Ｓ２３４２）。その結果，リーチ音声用エリア使用中フラグ２２３ｍがオフであれば（Ｓ２３４２：Ｙｅｓ），そのリーチ表示コマンドで示されるリーチ図柄に対応したリーチ音声データを，音声データ記憶エリア２２２ａの第０図柄通常リーチ音声データ２２２ａ０，第１図柄確変リーチ音声データ２２２ａ１，・・・第９確変リーチ音声データ２２２ａ９の中から読み出して，再生音声データ記憶エリア２２３ｄのリーチ音声用エリア２２３ｄ５に設定し，リーチ音声の再生を開始する（Ｓ２３４３）」と記載され，上記（ｇ）においてすでに検討したように，刊行物１には「音声データ（第０図柄通常リーチ音声データ２２２ａ０，第１図柄確変リーチ音声データ２２２ａ１，・・・，第９図柄確変リーチ音声データ２２２ａ９のいずれか）を音声データ記憶エリア２２２ａから読み出し，読み出したリーチ音声データを，リーチ音声用エリア２２３ｄ５へ格納する音声ランプ制御装置１１３のＭＰＵ２２１」が記載され，上記【０６２４】には「リーチ音声用エリア使用中フラグ２２３ｍがオンである場合は（Ｓ２３４２：Ｎｏ），受信したリーチ表示コマンドを消去して（Ｓ２３３５），音声再生設定処理を終了する」と記載され，上記【０６１３】には「パチンコ機１０」と記載されているから，刊行物１には，
ダブルリーチの表示態様のコマンド（表示用変動パターンコマンド，表示用停止種別コマンド等）によって音声ランプ制御装置１１３から表示制御装置１１４へダブルリーチの表示態様が通知され，第３図柄表示装置８１においてダブルリーチが表示された場合に，音声ランプ制御装置１１３のＭＰＵ２２１は，確変リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオフであれば（Ｓ２３４２：Ｙｅｓ），その確変リーチのリーチ図柄（主図柄）に対応する確変リーチ音声を再生するためのリーチ音声データを，音声データ記憶エリア２２２ａから読み出し，読み出したリーチ音声データを，リーチ音声用エリア２２３ｄ５へ格納して音声出力装置２２６から確変リーチ音声の再生を開始し，確変リーチ音声の再生が終了するまで，リーチ音声用エリア２２３ｄ５は使用中の状態となり，リーチ音声用エリア使用中フラグ２２３ｍがオンとなり，確変リーチのリーチ表示コマンドの受信後すぐに，通常リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオンである場合は（Ｓ２３４２：Ｎｏ），受信した通常リーチのリーチ表示コマンドを消去して（Ｓ２３３５），通常リーチ音声は非出力となるパチンコ機１０
　上記（ア）〜（サ）の記載事項，上記図示内容（シ）〜（セ）及び上記（ａ）〜（ｌ，ｍ）の認定事項を総合すれば，刊行物１には以下の発明（以下，「引用発明」という。）が記載されていると認められる（ａ〜ｌ，ｍは発明の構成を分説するため当審で付与した。）。
「ａ　発射された球が流下する遊技領域，遊技領域に配設され球が入球すると第１入球口スイッチがオンとなる第１入球口６４，及び遊技領域に配設され球が入球すると第２入球口スイッチがオンとなる第２入球口６４０，を配設した遊技盤１３と，
ｂ　第１入球口６４又は第２入球口６４０へ球が入球すると第１入球口スイッチ又は第２入球口スイッチがオンとなり，そのオンに起因して遊技者にとって有利な遊技状態である大当たりの抽選をする主制御装置１１０のＭＰＵ２０１と，
ｃ　音声ランプ制御装置１１３へ各種のコマンド（変動パターンコマンド，大当たり・リーチなどの停止種別が示される停止種別コマンド等）をデータ送受信回路によって送信する主制御装置１１０のＭＰＵ２０１と，
ｄ　第３図柄表示装置８１と画像コントローラ２３７を介して接続され，主制御装置１１０からのコマンドに基づき表示させる演出毎に用意された変動演出パターンと停止図柄（停止種別）が設定されている変動用表示データテーブル等の表示データテーブルが格納される表示データテーブル格納エリア２３２ａを有する表示制御装置１１４のプログラムＲＯＭ２３２と，音声出力装置２２６，ランプ表示装置２２７と接続され，第３図柄表示装置８１において変動演出中にリーチが発生した場合に出力するリーチ表示コマンドのリーチ図柄に対応するリーチ音声データ（第０図柄通常リーチ音声データ２２２ａ０，第１図柄確変リーチ音声データ２２２ａ１，・・・，第９図柄確変リーチ音声データ２２２ａ９のいずれか）等，各音声の種別毎に対応する音声データが格納されている音声データ記憶エリア２２２ａを少なくとも有する音声ランプ制御装置１１３のＲＯＭ２２２と，
ｅ　主制御装置１１０から受信した各種のコマンド（変動パターンコマンド，停止種別コマンド等）に基づいて，第３図柄表示装置８１の表示態様としてダブルリーチ等の表示態様を決定し，決定したダブルリーチ等の表示態様のコマンド（表示用変動パターンコマンド，表示用停止種別コマンド等）によって表示制御装置１１４へ通知する音声ランプ制御装置１１３のＭＰＵ２２１と，第３図柄表示装置８１の表示内容を表す表示コマンドを音声ランプ制御装置１１３に送信するが，ダブルリーチが第３図柄表示装置８１に表示された場合は，第３図柄表示装置８１の表示内容として，まず，確変リーチのリーチ図柄の種類とリーチ成立を通知するリーチ表示コマンドを送信し，その後，直ぐに，通常リーチのリーチ図柄の種類とリーチ成立を通知するリーチ表示コマンドを送信する表示制御装置１１４のＭＰＵ２３１と，
ｆ，ｊ　受信した表示用変動パターンコマンドに示される変動パターンで第３図柄表示装置８１に第３図柄の変動表示が行われるようにダブルリーチ等の変動演出を開始し，受信した表示用停止種別コマンドで示された停止図柄を表示する表示制御装置１１４のＭＰＵ２３１と，表示制御装置１１４から受信したリーチ表示コマンド等の表示コマンドに基づき，第３図柄表示装置８１の表示内容に対応する確変リーチ音声等の音声データに対応する音声を音声出力装置２２６から出力する音声ランプ制御装置１１３のＭＰＵ２２１と，
ｇ　音声ランプ制御装置１１３から送信されるコマンド（例えば，表示用変動パターンコマンド）等に応じて，使用する表示データテーブルを選定し，その選定した表示データテーブルを表示データテーブル格納エリア２３２ａから読み出して，ワークＲＡＭ２３３に設けられた表示データテーブルバッファ２３３ａに格納する表示制御装置１１４のＭＰＵ２３１と，表示制御装置１１４からのリーチ表示コマンドで示されるリーチ図柄に対応する音声データ（第０図柄通常リーチ音声データ２２２ａ０，第１図柄確変リーチ音声データ２２２ａ１，・・・，第９図柄確変リーチ音声データ２２２ａ９のいずれか）を音声データ記憶エリア２２２ａから読み出し，読み出したリーチ音声データを，リーチ音声用エリア２２３ｄ５へ格納する音声ランプ制御装置１１３のＭＰＵ２２１と，を有し，
ｈ　変動演出パターンと停止図柄（停止種別）が設定されている変動用表示データテーブルは演出毎に用意され，リーチ音声データ（第０図柄通常リーチ音声データ２２２ａ０，第１図柄確変リーチ音声データ２２２ａ１，・・・，第９図柄確変リーチ音声データ２２２ａ９のいずれか）はリーチ図柄に対応し，
ｉ　ダブルリーチの表示態様のコマンド（表示用変動パターンコマンド，表示用停止種別コマンド等）によって音声ランプ制御装置１１３から表示制御装置１１４へダブルリーチの表示態様が通知され，ダブルリーチが第３図柄表示装置８１に表示された場合に，音声ランプ制御装置１１３が表示制御装置１１４より受信したリーチ表示コマンドのリーチ図柄に対応するリーチ音声データである確変リーチ音声を出力し，
ｋ　表示制御装置１１４のＭＰＵ２３１は，ダブルリーチが表示される場合，音声ランプ制御装置１１３から送信されるコマンド（ダブルリーチの表示用変動パターンコマンド）に応じて，使用する表示データテーブルを選定し，ワークＲＡＭ２３３に設けられた表示データテーブルバッファ２３３ａに格納すると共に，１フレーム分の描画処理が完了する度にポインタ２３３ｂを１加算し，ポインタ２３３ｂの更新に従って表示データテーブルで規定されたダブルリーチの画像を第３図柄表示装置８１に表示し，音声ランプ制御装置１１３のＭＰＵ２２１は，第３図柄表示装置８１においてダブルリーチが表示された場合，確変リーチのリーチ図柄の種類とリーチ成立を通知するリーチ表示コマンドを受信すると，その確変リーチのリーチ図柄（主図柄）に対応する確変リーチ音声を再生するためのリーチ音声データをリーチ用音声エリア２２３ｄ５に設定して音声出力装置２２６から確変リーチ音声の再生を開始し，確変リーチ音声の再生が終了するまで，リーチ音声用エリア２２３ｄ５は使用中の状態となり，リーチ音声用エリア使用中フラグ２２３ｍがオンとなり，確変リーチのリーチ表示コマンドの受信後すぐに，通常リーチのリーチ図柄の種類とリーチ成立を通知するリーチ表示コマンドを受信したとき，リーチ音声用エリア２２３ｄ５は使用中の状態でリーチ音声用エリア使用中フラグ２２３ｍがオンとなっており，このリーチ表示コマンドは無視され，通常リーチ音声は非出力となり，
ｌ，ｍ　ダブルリーチの表示態様のコマンド（表示用変動パターンコマンド，表示用停止種別コマンド等）によって音声ランプ制御装置１１３から表示制御装置１１４へダブルリーチの表示態様が通知され，第３図柄表示装置８１においてダブルリーチが表示された場合に，音声ランプ制御装置１１３のＭＰＵ２２１は，確変リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオフであれば（Ｓ２３４２：Ｙｅｓ），その確変リーチのリーチ図柄（主図柄）に対応する確変リーチ音声を再生するためのリーチ音声データを，音声データ記憶エリア２２２ａから読み出し，読み出したリーチ音声データを，リーチ音声用エリア２２３ｄ５へ格納して音声出力装置２２６から確変リーチ音声の再生を開始し，確変リーチ音声の再生が終了するまで，リーチ音声用エリア２２３ｄ５は使用中の状態となり，リーチ音声用エリア使用中フラグ２２３ｍがオンとなり，確変リーチのリーチ表示コマンドの受信後すぐに，通常リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオンである場合は（Ｓ２３４２：Ｎｏ），受信した通常リーチのリーチ表示コマンドを消去して（Ｓ２３３５），通常リーチ音声は非出力となるパチンコ機１０。」
（３）対比
　本願補正発明３と引用発明とを対比する。
（ａ）引用発明の「遊技領域」及び「遊技盤１３」は，それぞれ，本願補正発明３の「遊技領域」及び「遊技盤」に相当する。
　また，引用発明の「第１入球口スイッチ」及び「第２入球口スイッチ」が設けられている領域は，本願補正発明３の「検出領域」に相当する。
　引用発明において，「球が入球」して「第１入球口スイッチ」又は「第２入球口スイッチがオンとなる」とき，遊技球が転動して「第１入球口スイッチ」又は「第２入球口スイッチ」が設けられている領域を球が通過することは明らかである。
　これらのことから，引用発明の「発射された球が流下する遊技領域，遊技領域に配設され球が入球すると第１入球口スイッチがオンとなる第１入球口６４，及び遊技領域に配設され球が入球すると第２入球口スイッチがオンとなる第２入球口６４０，を配設した遊技盤１３」は，本願補正発明３の「遊技球が転動する遊技領域及び前記遊技領域に形成され前記遊技球の通過を検出するための検出領域を備えた遊技盤」に相当する。
（ｂ）引用発明の「有利な遊技状態である大当たり」は，本願補正発明３の「遊技者にとって有利な遊技状態」に相当する。
　また，引用発明の「抽選をする主制御装置１１０のＭＰＵ２０１」は，本願補正発明３の「抽籤処理を実行する抽籤手段」の機能を有する。
　このことから，引用発明の「第１入球口６４又は第２入球口６４０へ球が入球すると第１入球口スイッチ又は第２入球口スイッチがオンとなり，そのオンに起因して遊技者にとって有利な遊技状態である大当たりの抽選をする主制御装置１１０のＭＰＵ２０１」は，本願補正発明３の「前記検出領域を前記遊技球が通過したことを契機にして，遊技者にとって有利な遊技状態へ移行させるか否かの抽籤処理を実行する抽籤手段」の機能を有する。
（ｃ）引用発明の「データ送受信回路によって送信する主制御装置１１０のＭＰＵ２０１」は，本願補正発明３の「情報出力手段」の機能を有する。
　また，引用発明の「各種のコマンド（変動パターンコマンド，大当たり・リーチなどの停止種別が示される停止種別コマンド等）」は，大当たりの抽選の結果に基づいた遊技の進行に関する情報であることは明らかである。
　これらのことから，引用発明の「音声ランプ制御装置１１３へ各種のコマンド（変動パターンコマンド，大当たり・リーチなどの停止種別が示される停止種別コマンド等）をデータ送受信回路によって送信する主制御装置１１０のＭＰＵ２０１」は，本願補正発明３の「前記抽籤手段による前記抽籤処理の結果に基づいた遊技の進行に関する情報を出力する情報出力手段」の機能を有する。
（ｄ）引用発明の「第３図柄表示装置８１」，「音声出力装置２２６」及び「ランプ表示装置２２７」は，本願補正発明３の「周辺機器」に相当する。
　また，引用発明の「表示データテーブル」に設定されている「変動演出パターン」，「停止図柄（停止種別）」及び「音声データ」は，本願補正発明３の「演出情報」に相当する。
　そして，引用発明の「表示データテーブル格納エリア２３２ａを有する表示制御装置１１４のプログラムＲＯＭ２３２」及び「音声データ記憶エリア２２２ａを少なくとも有する音声ランプ制御装置１１３のＲＯＭ２２２」は，本願補正発明３の「演出情報記憶手段」に相当する。
　これらのことから，引用発明の「第３図柄表示装置８１と画像コントローラ２３７を介して接続され，主制御装置１１０からのコマンドに基づき表示させる演出毎に用意された変動演出パターンと停止図柄（停止種別）が設定されている変動用表示データテーブル等の表示データテーブルが格納される表示データテーブル格納エリア２３２ａを有する表示制御装置１１４のプログラムＲＯＭ２３２と，音声出力装置２２６，ランプ表示装置２２７と接続され，第３図柄表示装置８１において変動演出中にリーチが発生した場合に出力するリーチ表示コマンドのリーチ図柄に対応するリーチ音声データ（第０図柄通常リーチ音声データ２２２ａ０，第１図柄確変リーチ音声データ２２２ａ１，・・・，第９図柄確変リーチ音声データ２２２ａ９のいずれか）等，各音声の種別毎に対応する音声データが格納されている音声データ記憶エリア２２２ａを少なくとも有する音声ランプ制御装置１１３のＲＯＭ２２２」は，本願補正発明３の「複数の周辺機器に接続されるとともに，複数の演出情報が記憶されている演出情報記憶手段」に相当する。
（ｅ）引用発明の「主制御装置１１０から受信した各種のコマンド（変動パターンコマンド，停止種別コマンド等）」は，本願補正発明３の「前記情報出力手段により出力された情報」に相当する。
　また，引用発明の「音声ランプ制御装置１１３のＭＰＵ２２１」は，「第３図柄表示装置８１の表示態様としてダブルリーチ等の表示態様を決定し，決定したダブルリーチ等の表示態様のコマンド（表示用変動パターンコマンド，表示用停止種別コマンド等）によって表示制御装置１１４へ通知」し，引用発明の構成ｄに記載されたように，「表示制御装置１１４のプログラムＲＯＭ２３２」には「変動演出パターンと停止図柄（停止種別）が設定されている変動用表示データテーブル等の表示データテーブルが格納され」ているから，引用発明の「決定したダブルリーチ等の表示態様のコマンド（表示用変動パターンコマンド，表示用停止種別コマンド等）」は，「変動演出パターン」（演出情報）や「停止図柄（停止種別）」（演出情報）が分かるコマンドであるといえるので，引用発明の「音声ランプ制御装置１１３のＭＰＵ２２１」は，本願補正発明３の「演出情報決定手段」の機能を有する。
　加えて，引用発明の「表示制御装置１１４のＭＰＵ２３１」は，「第３図柄表示装置８１の表示内容を表す表示コマンドを音声ランプ制御装置１１３に送信」し，引用発明の構成ｆ，ｊに記載されたように，「音声ランプ制御装置１１３のＭＰＵ２２１」は「表示制御装置１１４から受信したリーチ表示コマンド等の表示コマンドに基づき，第３図柄表示装置８１の表示内容に対応する確変リーチ音声等の音声データに対応する音声を音声出力装置２２６から出力」している。このことから，「表示コマンド」を送信する「表示制御装置１１４のＭＰＵ２３１」が音声に対応する音声データを決定しているともいえるから，引用発明の「表示制御装置１１４のＭＰＵ２３１」も，本願補正発明３の「演出情報決定手段」の機能を有する。
　これらのことから，引用発明の「主制御装置１１０から受信した各種のコマンド（変動パターンコマンド，停止種別コマンド等）に基づいて，第３図柄表示装置８１の表示態様としてダブルリーチ等の表示態様を決定し，決定したダブルリーチ等の表示態様のコマンド（表示用変動パターンコマンド，表示用停止種別コマンド等）によって表示制御装置１１４へ通知する音声ランプ制御装置１１３のＭＰＵ２２１と，第３図柄表示装置８１の表示内容を表す表示コマンドを音声ランプ制御装置１１３に送信するが，ダブルリーチが第３図柄表示装置８１に表示された場合は，第３図柄表示装置８１の表示内容として，まず，確変リーチのリーチ図柄の種類とリーチ成立を通知するリーチ表示コマンドを送信し，その後，直ぐに，通常リーチのリーチ図柄の種類とリーチ成立を通知するリーチ表示コマンドを送信する表示制御装置１１４のＭＰＵ２３１」は，本願補正発明３の「前記情報出力手段により出力された情報に基づいて，前記複数の演出情報から演出情報を決定する演出情報決定手段」の機能を有する。
（ｆ，ｊ）引用発明の「表示制御装置１１４のＭＰＵ２３１」及び「音声ランプ制御装置１１３のＭＰＵ２２１」は，本願補正発明３の「演出情報実行手段」の機能を有する。
［構成Ｆ（構成ｆ）に関して］
　このことから，引用発明の「受信した表示用変動パターンコマンドに示される変動パターンで第３図柄表示装置８１に第３図柄の変動表示が行われるようにダブルリーチ等の変動演出を開始し，受信した表示用停止種別コマンドで示された停止図柄を表示する表示制御装置１１４のＭＰＵ２３１と，表示制御装置１１４から受信したリーチ表示コマンド等の表示コマンドに基づき，第３図柄表示装置８１の表示内容に対応する確変リーチ音声等の音声データに対応する音声を音声出力装置２２６から出力する音声ランプ制御装置１１３のＭＰＵ２２１」は，本願補正発明３の「前記演出情報決定手段により決定された前記演出情報を実行する演出情報実行手段」の機能を有する。
　また，引用発明の「表示制御装置１１４のＭＰＵ２３１」及び「音声ランプ制御装置１１３のＭＰＵ２２１」は，それぞれ，本願補正発明３の「第１の演出情報実行手段」及び「第２の演出情報実行手段」の機能を有する。
［構成Ｊ（構成ｊ）に関して］
　これらのことから，引用発明の「受信した表示用変動パターンコマンドに示される変動パターンで第３図柄表示装置８１に第３図柄の変動表示が行われるようにダブルリーチ等の変動演出を開始し，受信した表示用停止種別コマンドで示された停止図柄を表示する表示制御装置１１４のＭＰＵ２３１と，表示制御装置１１４から受信したリーチ表示コマンド等の表示コマンドに基づき，第３図柄表示装置８１の表示内容に対応する確変リーチ音声等の音声データに対応する音声を音声出力装置２２６から出力する音声ランプ制御装置１１３のＭＰＵ２２１」は，本願補正発明３の「前記演出情報実行手段は，前記第１の演出情報に応じて演出を実行する第１の演出情報実行手段及び前記第２の演出情報に応じて演出を実行する第２の演出情報実行手段」の機能を有する。
（ｇ）引用発明の「表示制御装置１１４のＭＰＵ２３１」は，「コマンド（例えば，表示用変動パターンコマンド）等に応じて，使用する表示データテーブルを選定し，その選定した表示データテーブルを表示データテーブル格納エリア２３２ａから読み出して，ワークＲＡＭ２３３に設けられた表示データテーブルバッファ２３３ａに格納する」ことにより表示データテーブルを転送しているといえる。また，引用発明の「表示データテーブル」は，引用発明の構成ｄに記載されたように「変動演出パターンと停止図柄（停止種別）が設定されている変動用表示データテーブル等」であり，リーチ表示等の「変動演出パターン」（演出情報）に関するデータ等が格納されていることは明らかであるから，引用発明の「表示制御装置１１４のＭＰＵ２３１」は，本願補正発明３の「演出情報を転送する演出情報転送手段」の機能を有する。
　そして，引用発明の「音声ランプ制御装置１１３のＭＰＵ２２１」は，「音声データ」「を音声データ記憶エリア２２２ａから読み出し，」「リーチ音声用エリア２２３ｄ５へ格納する」から，本願補正発明３の「演出情報を転送する演出情報転送手段」の機能を有する。
　これらのことから，引用発明の「音声ランプ制御装置１１３から送信されるコマンド（例えば，表示用変動パターンコマンド）等に応じて，使用する表示データテーブルを選定し，その選定した表示データテーブルを表示データテーブル格納エリア２３２ａから読み出して，ワークＲＡＭ２３３に設けられた表示データテーブルバッファ２３３ａに格納する表示制御装置１１４のＭＰＵ２３１と，表示制御装置１１４からのリーチ表示コマンドで示されるリーチ図柄に対応する音声データ（第０図柄通常リーチ音声データ２２２ａ０，第１図柄確変リーチ音声データ２２２ａ１，・・・，第９図柄確変リーチ音声データ２２２ａ９のいずれか）を音声データ記憶エリア２２２ａから読み出し，読み出したリーチ音声データを，リーチ音声用エリア２２３ｄ５へ格納する音声ランプ制御装置１１３のＭＰＵ２２１」は，本願補正発明３の「前記演出情報実行手段に報知させる前記演出情報を転送する演出情報転送手段」の機能を有する。
（ｈ）引用発明の「変動演出パターンと停止図柄（停止種別）」及び「リーチ音声データ」は，それぞれ，本願補正発明３の「第１の演出情報」及び「第２の演出情報」に相当する。
　このことから，引用発明の「変動演出パターンと停止図柄（停止種別）が設定されている変動用表示データテーブルは演出毎に用意され，リーチ音声データ（第０図柄通常リーチ音声データ２２２ａ０，第１図柄確変リーチ音声データ２２２ａ１，・・・，第９図柄確変リーチ音声データ２２２ａ９のいずれか）はリーチ図柄に対応し」は，本願補正発明３の「前記演出情報は，それぞれ複数の前記演出情報から構成されている第１の演出情報と，第２の演出情報とを含み」に相当する。
（ｉ）引用発明の「ダブルリーチの表示態様のコマンド（表示用変動パターンコマンド，表示用停止種別コマンド等）」は，ダブルリーチという「変動演出パターン」（第１の演出情報）が分かるコマンドであるといえると共に，引用発明の「ダブルリーチが第３図柄表示装置８１に表示された場合」の「リーチ表示コマンドのリーチ図柄に対応するリーチ音声データ」（第２の演出情報）は，ダブルリーチ時等のリーチ時に使用する「リーチ音声データ」であり，ダブルリーチ時の「変動演出パターン」と関連づけられていることは明らかである。
　これらのことから，引用発明の「ダブルリーチの表示態様のコマンド（表示用変動パターンコマンド，表示用停止種別コマンド等）によって音声ランプ制御装置１１３から表示制御装置１１４へダブルリーチの表示態様が通知され，ダブルリーチが第３図柄表示装置８１に表示された場合に，音声ランプ制御装置１１３が表示制御装置１１４より受信したリーチ表示コマンドのリーチ図柄に対応するリーチ音声データである確変リーチ音声を出力し」は，本願補正発明３の「前記第２の演出情報は，少なくとも前記演出情報の一部が，前記第１の演出情報に関連付けられており」に相当する。
（ｋ）引用発明の「表示用変動パターンコマンド」は，上記（ｅ）において既に検討したように，「変動演出パターン」（第１の演出情報）が分かるコマンドであり，引用発明の「表示制御装置１１４のＭＰＵ２３１」（第１の演出情報実行手段）は，「１フレーム分の描画処理が完了する度にポインタ２３３ｂを１加算し，ポインタ２３３ｂの更新に従って表示データテーブルで規定された画像を第３図柄表示装置８１に表示」することにより，第３図柄表示装置８１（周辺機器）で，ダブルリーチを表示する場合，ダブルリーチの変動演出パターン（第１の演出情報）の表示データテーブルで規定されたダブルリーチの画像を表示するものである。
　しかしながら，引用発明は，ポインタ２３３ｂを加算・更新するが，ポインタ２３３ｂにより，ダブルリーチの画像が表示中であるか否かという画像の表示状態（第１の演出情報の実行状態）を更新しているとまではいえない。
　また，引用発明の「音声ランプ制御装置１１３のＭＰＵ２２１」（第２の演出情報実行手段）は，「確変リーチ音声を再生するためのリーチ音声データを」「設定して音声出力装置２２６から確変リーチ音声の再生を開始し，確変リーチ音声の再生が終了するまで」，「リーチ音声用エリア使用中フラグ２２３ｍがオンと」することにより，音声出力装置２２６（周辺機器）でリーチ音声データ（第２の演出情報）を設定して確変リーチ音声の再生を開始すると共に，リーチ音声用エリア使用中フラグ２２３ｍをオン（第２の演出情報の実行状態を更新）とすることにより，確変リーチ音声の再生状態を更新しているといえる。
　これらのことから，引用発明の「表示制御装置１１４のＭＰＵ２３１は，ダブルリーチが表示される場合，音声ランプ制御装置１１３から送信されるコマンド（ダブルリーチの表示用変動パターンコマンド）に応じて，使用する表示データテーブルを選定し，ワークＲＡＭ２３３に設けられた表示データテーブルバッファ２３３ａに格納すると共に，１フレーム分の描画処理が完了する度にポインタ２３３ｂを１加算し，ポインタ２３３ｂの更新に従って表示データテーブルで規定されたダブルリーチの画像を第３図柄表示装置８１に表示し，音声ランプ制御装置１１３のＭＰＵ２２１は，第３図柄表示装置８１においてダブルリーチが表示された場合，確変リーチのリーチ図柄の種類とリーチ成立を通知するリーチ表示コマンドを受信すると，その確変リーチのリーチ図柄（主図柄）に対応する確変リーチ音声を再生するためのリーチ音声データをリーチ用音声エリア２２３ｄ５に設定して音声出力装置２２６から確変リーチ音声の再生を開始し，確変リーチ音声の再生が終了するまで，リーチ音声用エリア２２３ｄ５は使用中の状態となり，リーチ音声用エリア使用中フラグ２２３ｍがオンとなり，確変リーチのリーチ表示コマンドの受信後すぐに，通常リーチのリーチ図柄の種類とリーチ成立を通知するリーチ表示コマンドを受信したとき，リーチ音声用エリア２２３ｄ５は使用中の状態でリーチ音声用エリア使用中フラグ２２３ｍがオンとなっており，このリーチ表示コマンドは無視され，通常リーチ音声は非出力となり」は，本願補正発明３の構成Ｋと「前記第１の演出情報実行手段及び前記第２の演出情報実行手段は，前記複数の周辺機器のいずれかにより前記第１の演出情報及び前記第２の演出情報を実行可能な構成及び，」「前記第２の演出情報の実行状態を更新する構成を有し」ている点で共通している。
（ｌ，ｍ）
［構成Ｌ（構成ｌ）に関して］
　引用発明の「ダブルリーチの表示態様のコマンド（表示用変動パターンコマンド，表示用停止種別コマンド等）」は，上記（ｅ）において既に検討したように，「変動演出パターン」（第１の演出情報）や「停止図柄（停止種別）」（第１の演出情報）が分かるコマンドであり，「第３図柄表示装置８１においてダブルリーチが表示された場合」は，上記（ｋ）において既に検討したように，引用発明の「表示制御装置１１４のＭＰＵ２３１」（第１の演出情報実行手段）が，ポインタ２３３ｂを加算・更新することにより，ダブルリーチの変動演出パターン（第１の演出情報）の表示データテーブルで規定されたダブルリーチの画像を表示しているといえる。
　しかしながら，上記（ｋ）において既に検討したように，引用発明は，ポインタ２３３ｂにより，画像が表示中であるか否かという画像の表示状態（第１の演出情報の実行状態）を更新しているとまではいえない。
　これらのことから，引用発明の「ダブルリーチの表示態様のコマンド（表示用変動パターンコマンド，表示用停止種別コマンド等）によって音声ランプ制御装置１１３から表示制御装置１１４へダブルリーチの表示態様が通知され，第３図柄表示装置８１においてダブルリーチが表示された場合に」は，本願補正発明３の「前記第１の演出情報の実行状態により前記第１の演出情報実行手段が前記第１の演出情報を実行している場合に」と「前記第１の演出情報実行手段が前記第１の演出情報を実行している場合に」である点で共通している。
　また，引用発明の「確変リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオフであれば（Ｓ２３４２：Ｙｅｓ），その確変リーチのリーチ図柄（主図柄）に対応する確変リーチ音声を再生するためのリーチ音声データを，音声データ記憶エリア２２２ａから読み出し，読み出したリーチ音声データを，リーチ音声用エリア２２３ｄ５へ格納して音声出力装置２２６から確変リーチ音声の再生を開始し，確変リーチ音声の再生が終了するまで，リーチ音声用エリア２２３ｄ５は使用中の状態となり，リーチ音声用エリア使用中フラグ２２３ｍがオンとなり，確変リーチのリーチ表示コマンドの受信後すぐに，通常リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオンである場合は（Ｓ２３４２：Ｎｏ），受信した通常リーチのリーチ表示コマンドを消去して（Ｓ２３３５），通常リーチ音声は非出力となる」ようにする「音声ランプ制御装置１１３のＭＰＵ２２１」は，本願補正発明３の「前記第２の演出情報の実行状態によって前記第２の演出情報を，前記第２の演出情報実行手段が実行しているか否かを判断する演出情報判断手段」の機能を有する。
　これらのことから，引用発明の「ダブルリーチの表示態様のコマンド（表示用変動パターンコマンド，表示用停止種別コマンド等）によって音声ランプ制御装置１１３から表示制御装置１１４へダブルリーチの表示態様が通知され，第３図柄表示装置８１においてダブルリーチが表示された場合に，」「確変リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオフであれば（Ｓ２３４２：Ｙｅｓ），その確変リーチのリーチ図柄（主図柄）に対応する確変リーチ音声を再生するためのリーチ音声データを，音声データ記憶エリア２２２ａから読み出し，読み出したリーチ音声データを，リーチ音声用エリア２２３ｄ５へ格納して音声出力装置２２６から確変リーチ音声の再生を開始し，確変リーチ音声の再生が終了するまで，リーチ音声用エリア２２３ｄ５は使用中の状態となり，リーチ音声用エリア使用中フラグ２２３ｍがオンとなり，確変リーチのリーチ表示コマンドの受信後すぐに，通常リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオンである場合は（Ｓ２３４２：Ｎｏ），受信した通常リーチのリーチ表示コマンドを消去して（Ｓ２３３５），通常リーチ音声は非出力となる」ようにする「音声ランプ制御装置１１３のＭＰＵ２２１」は，本願補正発明３の構成Ｌと「前記第１の演出情報実行手段が前記第１の演出情報を実行している場合に，前記第２の演出情報の実行状態によって前記第２の演出情報を，前記第２の演出情報実行手段が実行しているか否かを判断する演出情報判断手段」の機能を有する点で共通している。
［構成Ｍ（構成ｍ）に関して］
　引用発明の「リーチ音声データ」（第２の演出情報）は，上記（ｉ）で検討したように，ダブルリーチという「変動演出パターン」（第１の演出情報）が分かる「ダブルリーチの表示態様のコマンド（表示用変動パターンコマンド，表示用停止種別コマンド等）」と関連していることは明らかであり，「第３図柄表示装置８１においてダブルリーチが表示された場合」は，上記（ｋ）において既に検討したように，引用発明の「表示制御装置１１４のＭＰＵ２３１」（第１の演出情報実行手段）が，ダブルリーチの画像を表示しているといえる。そして，引用発明の「音声ランプ制御装置１１３のＭＰＵ２２１」は，「表示制御装置１１４のＭＰＵ２３１」（第１の演出情報実行手段）が「ダブルリーチの表示態様のコマンド（表示用変動パターンコマンド，表示用停止種別コマンド等）によって」「第３図柄表示装置８１においてダブルリーチが表示された場合」（前記第１の演出情報を実行している場合）に，「確変リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオフであれば（Ｓ２３４２：Ｙｅｓ）」（第２の演出情報を前記第２の演出情報実行手段が実行していないと判断された場合），「その確変リーチのリーチ図柄（主図柄）に対応する確変リーチ音声を再生するためのリーチ音声データ」（第１の演出情報に関連付けられた前記第２の演出情報）を，「音声データ記憶エリア２２２ａから読み出し，読み出したリーチ音声データを，リーチ音声用エリア２２３ｄ５へ格納」（転送）する。
　しかしながら，上記［構成Ｌ（構成ｌ）に関して］において既に検討したように，引用発明の「音声ランプ制御装置１１３のＭＰＵ２２１」（演出情報判断手段）は，本願補正発明３の構成Ｌを全て有している発明ではないから，引用発明は，本願補正発明３の「前記演出情報判断手段」に相当する構成は有していない。
　これらのことから，引用発明の「音声ランプ制御装置１１３のＭＰＵ２２１」は，本願補正発明３の「前記演出情報転送手段は，前記演出情報判断手段によって，前記第１の演出情報実行手段が前記第１の演出情報を実行している場合に，前記第２の演出情報を前記第２の演出情報実行手段が実行していないと判断された場合に，前記第２の演出情報実行手段に前記第１の演出情報に関連付けられた前記第２の演出情報を転送すること」と「前記演出情報転送手段は，」「前記第１の演出情報実行手段が前記第１の演出情報を実行している場合に，前記第２の演出情報を前記第２の演出情報実行手段が実行していないと判断された場合に，前記第２の演出情報実行手段に前記第１の演出情報に関連付けられた前記第２の演出情報を転送する」機能を有する点で共通する。
　加えて，引用発明の「パチンコ機１０」は，本願補正発明３の「遊技機」に相当する。
　これらのことから，引用発明の「ダブルリーチの表示態様のコマンド（表示用変動パターンコマンド，表示用停止種別コマンド等）によって音声ランプ制御装置１１３から表示制御装置１１４へダブルリーチの表示態様が通知され，第３図柄表示装置８１においてダブルリーチが表示された場合に，音声ランプ制御装置１１３のＭＰＵ２２１は，確変リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオフであれば（Ｓ２３４２：Ｙｅｓ），その確変リーチのリーチ図柄（主図柄）に対応する確変リーチ音声を再生するためのリーチ音声データを，音声データ記憶エリア２２２ａから読み出し，読み出したリーチ音声データを，リーチ音声用エリア２２３ｄ５へ格納して音声出力装置２２６から確変リーチ音声の再生を開始」する「パチンコ機１０」は，本願補正発明３の構成Ｍと「前記演出情報転送手段は，」「前記第１の演出情報実行手段が前記第１の演出情報を実行している場合に，前記第２の演出情報を前記第２の演出情報実行手段が実行していないと判断された場合に，前記第２の演出情報実行手段に前記第１の演出情報に関連付けられた前記第２の演出情報を転送することを特徴とする遊技機」である点で共通している。
　上記（ａ）〜（ｌ，ｍ）から，本願補正発明３と引用発明とは，
［一致点］
「Ａ　遊技球が転動する遊技領域及び前記遊技領域に形成され前記遊技球の通過を検出するための検出領域を備えた遊技盤と，
Ｂ　前記検出領域を前記遊技球が通過したことを契機にして，遊技者にとって有利な遊技状態へ移行させるか否かの抽籤処理を実行する抽籤手段と，
Ｃ　前記抽籤手段による前記抽籤処理の結果に基づいた遊技の進行に関する情報を出力する情報出力手段と，
Ｄ　複数の周辺機器に接続されるとともに，
複数の演出情報が記憶されている演出情報記憶手段と，
Ｅ　前記情報出力手段により出力された情報に基づいて，前記複数の演出情報から演出情報を決定する演出情報決定手段と，
Ｆ　前記演出情報決定手段により決定された前記演出情報を実行する演出情報実行手段と，
Ｇ　前記演出情報実行手段に報知させる前記演出情報を転送する演出情報転送手段と，を有し，
Ｈ　前記演出情報は，それぞれ複数の前記演出情報から構成されている第１の演出情報と，第２の演出情報とを含み，
Ｉ　前記第２の演出情報は，少なくとも前記演出情報の一部が，前記第１の演出情報に関連付けられており，
Ｊ　前記演出情報実行手段は，前記第１の演出情報に応じて演出を実行する第１の演出情報実行手段及び前記第２の演出情報に応じて演出を実行する第２の演出情報実行手段と，を備え，
Ｋ’前記第１の演出情報実行手段及び前記第２の演出情報実行手段は，前記複数の周辺機器のいずれかにより前記第１の演出情報及び前記第２の演出情報を実行可能な構成及び，前記第２の演出情報の実行状態を更新する構成を有し，
Ｌ’前記第１の演出情報実行手段が前記第１の演出情報を実行している場合に，前記第２の演出情報の実行状態によって前記第２の演出情報を，前記第２の演出情報実行手段が実行しているか否かを判断する演出情報判断手段をさらに有し，
Ｍ’前記演出情報転送手段は，前記第１の演出情報実行手段が前記第１の演出情報を実行している場合に，前記第２の演出情報を前記第２の演出情報実行手段が実行していないと判断された場合に，前記第２の演出情報実行手段に前記第１の演出情報に関連付けられた前記第２の演出情報を転送することを特徴とする遊技機。」
　である点で一致し，以下の点で相違する。
［相違点１］（構成Ｋ）
　本願補正発明３は，「前記第１の演出情報の実行状態」「を更新する構成を有し」ているのに対して，
　引用発明は，そのような構成を有していない点。
［相違点２］（構成Ｌ）
　「演出情報判断手段」が「前記第２の演出情報の実行状態によって前記第２の演出情報を，前記第２の演出情報実行手段が実行しているか否かを判断する」場合に関して，
　本願補正発明３は，「前記第１の演出情報の実行状態により前記第１の演出情報実行手段が前記第１の演出情報を実行している場合」であるのに対して，
　引用発明は，「表示制御装置１１４のＭＰＵ２３１」（第１の演出情報実行手段）が，「ダブルリーチの表示態様のコマンド（表示用変動パターンコマンド，表示用停止種別コマンド等）によって」「第３図柄表示装置８１においてダブルリーチが表示された場合」（第１の演出情報を実行している場合）であるが，上記相違点１の「前記第１の演出情報の実行状態」「を更新する構成」がないため，そのような構成でない点。
［相違点３］（構成Ｍ）
　「前記第２の演出情報を前記第２の演出情報実行手段が実行していないと判断」することがある，判断手段と場合に関して，
　本願補正発明３は，「前記演出情報判断手段によって，前記第１の演出情報実行手段が前記第１の演出情報を実行している場合」であるのに対して，
　引用発明は，「表示制御装置１１４のＭＰＵ２３１」（第１の演出情報実行手段）が，「ダブルリーチの表示態様のコマンド（表示用変動パターンコマンド，表示用停止種別コマンド等）によって」「第３図柄表示装置８１においてダブルリーチが表示された場合」（第１の演出情報を実行している場合）であるが，構成ｌ（構成Ｌ）の「音声ランプ制御装置１１３のＭＰＵ２２１」（演出情報判断手段）について，上記相違点１に基づく上記相違点２があることにより，本願補正発明３の「演出情報判断手段」と異なるため，そのような構成でない点。
（４）判断
ア　相違点１〜３について
　相違点１〜３は，関連するのでまとめて検討する。
　　
　引用発明は，構成ｋとして「音声出力装置２２６から確変リーチ音声の再生を開始し」「終了するまで」「オンとな」る「リーチ音声用エリア使用中フラグ２２３ｍ」（第２の演出情報の実行状態を更新する構成）を有している。
　引用発明のダブルリーチの画像を表示する第３図柄表示装置８１と，確変リーチ音声を再生する音声出力装置２２６は，共にパチンコ機において演出を行う装置であり，技術分野及び機能が共通している。
　引用発明の「音声出力装置２２６から確変リーチ音声の再生を開始し」「終了するまで」「オンとな」る「リーチ音声用エリア使用中フラグ２２３ｍ」を有する技術に基づいて，引用発明の第３図柄表示装置８１が表示するダブルリーチの画像についても，ダブルリーチの画像の表示が開始されてから，終了するまでオンとなる画像表示中フラグ（第１の演出情報の実行状態を更新する構成）を設けるようにすることにより，上記相違点１に係る本願補正発明３の構成とすることは，当業者が容易になし得たことである。
　また，引用発明の「リーチ音声用エリア使用中フラグ２２３ｍ」の技術に基づいて，引用発明にダブルリーチの画像の表示中にオンとなる画像表示中フラグを設けて上記相違点１に係る本願補正発明３の構成とすることにより，上記相違点２についても，引用発明の「第３図柄表示装置８１においてダブルリーチが表示された場合」が，ダブルリーチの画像の表示の実行中にオンとなる画像表示中フラグにより判断する上記相違点２に係る本願補正発明３の構成となると共に，上記相違点３についても，引用発明に画像表示中フラグを設けて引用発明が上記相違点２の「演出情報判断手段」と同じ構成を有する構成になることより，上記相違点３に係る本願補正発明３の構成となるから，引用発明の「リーチ音声用エリア使用中フラグ２２３ｍ」の技術に基づいて，引用発明に画像表示中フラグを設けて，上記相違点２〜３に係る本願補正発明３の構成とすることも，当業者が容易になし得たことである。
　そして，本願補正発明３の作用効果も，引用発明及び引用発明に記載された技術から当業者が予測できる範囲のものである。
　よって，本願補正発明３は，引用発明及び引用発明に記載された技術に基づいて，当業者が容易に発明をすることができたものである。
（５）請求人の主張について
　請求人は審判請求書の４．において，
「しかしながら，引用文献１に記載の遊技機は上記構成要件ｄ）およびｅ）を備えていません。以下その理由を説明します。 
　引用文献１に記載の遊技機では，段落０６１９に記載のとおり，ＲＡＭ２２３のリーチ音声用エリア使用中フラグ２２３ｍが電源投入時に「オフ」に初期設定され，リーチ表示コマンドが受信されると「オン」に設定され，リーチ音声の再生がすると「オフ」に設定されます。つまり，引用文献１の音声用エリア使用中フラグ２２３ｍは，リーチ表示コマンドという，個々の遊技の展開に応じて偶発的に発生する遊技の状態（リーチ）に依存してオン，オフがセットされるものであり，自ら演出状態を更新しているとは言えません。よって，引用文献１に記載の遊技機は，上記構成要件ｄ）およびｅ）に定義されるセルフチェック機能（自ら演出状態を更新し，該更新された演出状態を参照して演出状態を判断する機能）を有しているとは言えません。したがって，引用文献１に記載のものは，上記構成要件ｄ）およびｅ）を具備しないため，本願請求項１に係る発明とは，構成に顕著な差異があります。
・・・さらに，当該請求項１に従属する請求項２に係る発明，および上記構成要件ｄ）およびｅ）と同一の構成要件ｋ）およびｌ）を含む請求項３に係る発明についても同様であることは言うまでもありません。」
と主張している。
　上記（３）〜（４）において，引用発明と対比・判断したのは，本願補正発明３であり，本願補正発明３は，上記（１）に記載したように，請求人が主張する構成要素ｄ）およびｅ）と同様の，構成Ｋ及びＬを有する。
　次に，本願補正発明３の構成Ｋ及びＬについて検討する。
　請求人が注目している演出状態の更新（第１の演出情報の実行状態，及び第２の演出情報の実行状態の更新）については，構成Ｋでは，単に，「第１の演出情報の実行状態」と「第２の演出情報の実行状態」を更新する構成を有することが記載されているのみであり，構成Ｌでは，単に，第１の演出情報の実行状態により第１の演出情報実行手段が第１の演出情報を実行している場合に，第２の演出情報の実行状態によって第２の演出情報を第２の演出情報実行手段が実行しているか否かを判断する演出情報判断手段を有することが記載されているのみであり，「第１の演出情報の実行状態」と「第２の演出情報の実行状態」の更新を行う頻度や状態等の条件については，特に限定されていない。
　引用発明の「第２の演出情報の実行状態」については，第３図柄表示装置８１においてダブルリーチが表示された場合に，音声ランプ制御装置１１３のＭＰＵ２２１は，確変リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオフであれば（Ｓ２３４２：Ｙｅｓ），確変リーチ音声の再生を開始し，確変リーチ音声の再生が終了するまで，リーチ音声用エリア使用中フラグ２２３ｍがオン（第２の演出情報の実行状態の更新）となるようにしており，引用発明は，本願補正発明３と同じ第２の演出情報の実行状態を更新する構成を有しているといえる。
　また，「第１の演出情報の実行状態」を更新する構成を有する点については，上記（４）において既に検討したように，引用発明の「音声出力装置２２６から確変リーチ音声の再生を開始し」「終了するまで」「オンとな」る「リーチ音声用エリア使用中フラグ２２３ｍ」を有する技術に基づいて，引用発明の第３図柄表示装置８１が表示するダブルリーチの画像についても，ダブルリーチの画像の表示が開始されてから，終了するまでオンとなる画像表示中フラグ（第１の演出情報の実行状態を更新する構成）を設けることは，当業者が容易になし得たことである。
　
　そして，引用発明の構成ｌ，ｍは「音声ランプ制御装置１１３のＭＰＵ２２１は，確変リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオフであれば（Ｓ２３４２：Ｙｅｓ），その確変リーチのリーチ図柄（主図柄）に対応する確変リーチ音声を再生するためのリーチ音声データを，音声データ記憶エリア２２２ａから読み出し，読み出したリーチ音声データを，リーチ音声用エリア２２３ｄ５へ格納して音声出力装置２２６から確変リーチ音声の再生を開始し，確変リーチ音声の再生が終了するまで，リーチ音声用エリア２２３ｄ５は使用中の状態となり，リーチ音声用エリア使用中フラグ２２３ｍがオンとなり，確変リーチのリーチ表示コマンドの受信後すぐに，通常リーチのリーチ図柄の種類とリーチ成立を通知するリーチ表示コマンドを受信すると，リーチ音声用エリア使用中フラグ２２３ｍはオフか否かを判断し（Ｓ２３４２），リーチ音声用エリア使用中フラグ２２３ｍがオンである場合は（Ｓ２３４２：Ｎｏ），受信した通常リーチのリーチ表示コマンドを消去して（Ｓ２３３５），通常リーチ音声は非出力となる」ようにする構成を有しているから，上記（４）において既に検討した，引用発明は，ダブルリーチが表示された場合に限ってみれば，請求人が主張する「セルフチェック機能（自ら演出状態を更新し，該更新された演出状態を参照して演出状態を判断する機能）」（音声ランプ制御装置１１３のＭＰＵ２２１自らが，確変リーチのリーチ表示コマンドの受信により，確変リーチ音声の再生を開始してリーチ音声用エリア使用中フラグ２２３ｍがオンになるように更新されたときに，通常リーチのリーチ表示コマンドの受信により，リーチ音声用エリア使用中フラグ２２３ｍがオフか否かを判断する機能）を有しているといえる。
　ここで，引用発明は，ダブルリーチに限ってみれば，本願補正発明３と同様のセルフチェック機能を有するが，その構成は，「前記第１の演出情報の実行状態」「を更新する構成を有し」ていない点，「前記第１の演出情報の実行状態」「を更新する構成」がないため，「前記第１の演出情報の実行状態により前記第１の演出情報実行手段が前記第１の演出情報を実行している場合」でない点で相違する。
　しかしながら，上記（４）の相違点１〜２において既に検討したように，本願補正発明３の構成Ｋ，Ｌは，引用発明の「音声出力装置２２６から確変リーチ音声の再生を開始し」「終了するまで」「オンとな」る「リーチ音声用エリア使用中フラグ２２３ｍ」を有する技術に基づいて，引用発明の第３図柄表示装置８１が表示するダブルリーチの画像についても，ダブルリーチの画像の表示が開始されてから，終了するまでオンとなる画像表示中フラグ（第１の演出情報の実行状態を更新する構成）を設けるようにして，当業者が容易に発明をすることができたものであるから，請求人の主張を採用することはできない。
（６）まとめ
　したがって，本願補正発明３は，特許法第２９条第２項の規定に基づいて特許出願の際独立して特許を受けることができない。
　よって，本件補正は，特許法第１７条の２第６項において準用する同法第１２６条第７項の規定に違反するので，同法第１５９条第１項において読み替えて準用する同法第５３条第１項の規定により却下すべきものである。
第３　本願発明３について
１　本願発明３
　本件補正（平成２８年１１月１０日付け手続補正）は上記第２のとおり却下されたので，本願の請求項３に係る発明（以下「本願発明３」という。）は，平成２８年３月９日付け手続補正書により補正された，上記第２　１で前述した特許請求の範囲の請求項３に記載された次のとおりのものである。
「【請求項３】
　遊技球が転動する遊技領域及び前記遊技領域に形成され前記遊技球の通過を検出するための検出領域を備えた遊技盤と，
　前記検出領域を前記遊技球が通過したことを契機にして，遊技者にとって有利な遊技状態へ移行させるか否かの抽籤処理を実行する抽籤手段と，
　前記抽籤手段による前記抽籤処理の結果に基づいた遊技の進行に関する情報を出力する情報出力手段と，
　複数の周辺機器に接続されるとともに，
　複数の演出情報が記憶されている演出情報記憶手段と，
　前記情報出力手段により出力された情報に基づいて，前記複数の演出情報から演出情報を決定する演出情報決定手段と，
　前記演出情報決定手段により決定された前記演出情報を実行する演出情報実行手段と，
　前記演出情報実行手段に報知させる前記演出情報を転送する演出情報転送手段と，を有し，
　前記演出情報は，それぞれ複数の前記演出情報から構成されている第１の演出情報と，第２の演出情報とを含み，
　前記第２の演出情報は，少なくとも前記演出情報の一部が，前記第１の演出情報に関連付けられており，
　前記演出情報実行手段は，前記第１の演出情報に応じて演出を実行する第１の演出情報実行手段及び前記第２の演出情報に応じて演出を実行する第２の演出情報実行手段と，を備え，
　前記第１の演出情報実行手段及び前記第２の演出情報実行手段は，前記複数の周辺機器のいずれかにより前記第１の演出情報及び前記第２の演出情報を実行可能な構成を有し，
　前記演出情報実行手段が前記第１の演出情報を実行している場合に，前記第１の演出情報実行手段により実行されている前記第１の演出情報に関連付けられた前記第２の演出情報を，前記第２の演出情報実行手段が実行しているか否かを判断する演出情報判断手段をさらに有し，
　前記演出情報転送手段は，前記演出情報判断手段によって，前記第１の演出情報実行手段により実行されている前記第１の演出情報に関連付けられた前記第２の演出情報が実行されていないと判断された場合に，前記第２の演出情報実行手段に前記第１の演出情報に関連付けられた前記第２の演出情報を転送することを特徴とする遊技機。」
２　刊行物１
　原査定の拒絶理由に引用された本願の出願前に頒布された刊行物１の記載事項及び引用発明の認定については，上記「第２［理由］３（２）（２−１）」に記載したとおりである。
３　対比・判断
　本願発明３は，上記「第２［理由］１」で検討した本件補正発明３から，実質的な変更とならない特定事項を除き，「前記第１の演出情報実行手段及び前記第２の演出情報実行手段」が有する構成に関する「前記第１の演出情報の実行状態及び前記第２の演出情報の実行状態を更新する構成」との限定，「第１の演出情報を実行している」「演出情報実行手段」が，「第１の演出情報実行手段」であるとの限定，「第１の演出情報を実行している場合」が，「前記第１の演出情報の実行状態により」分かるとの限定，「前記第２の演出情報を，前記第２の演出情報実行手段が実行しているか否かを判断する」のが，「前記第２の演出情報の実行状態によって」であるとの限定を付加した部分を削除したものである。
　そうすると，本願発明３の構成要件をすべて含み，さらに他の構成要件を付加したものに相当する本願補正発明３が，上記「第２　３（４）」に記載したとおり，引用発明及び刊行物１に記載された技術に基づいて，当業者が容易に発明をすることができたものであるから，本願発明３も，同様の理由により，当業者が容易に発明をすることができたものである。
４　むすび
　以上のとおり，本願発明３は，特許法第２９条第２項の規定により特許を受けることができないものである。
　したがって，その余の請求項について検討するまでもなく，本願は拒絶すべきものである。
　よって，結論のとおり審決する。